(57)【要約】データ再送において、シグナリング量の増加を抑えつつ、無線リソース断片化を低減する無線通信端末装置、無線通信基地局装置及び無線リソース割当方法を開示する。ＳＴ２０１では、基地局（１５０）が複数のユーザをグループ化し、ＳＴ２０３では、グループ内の複数ユーザに割り当てた初回送信用リソースのうち周波数の高い方をグループ内の複数ユーザで共有する再送用無線リソースに決定する。ＳＴ２０７では、移動局（１００）から基地局（１５０）にデータ送信を行い、ＳＴ２０８では、基地局（１５０）がグループ内の複数ユーザに複数ユーザが互いに復号可能なＡＣＫ／ＮＡＣＫ情報を生成し、ＳＴ２０９では、ＡＣＫ／ＮＡＣＫ情報を移動局（１００）に送信する。ＳＴ２１０では、移動局（１００）がＡＣＫ／ＮＡＣＫ情報に基づいて、再送用無線リソースを割り当て、ＳＴ２１１では、再送用無線リソースを用いてデータ再送を行う。
2008105162.tif 000002
【特許請求の範囲】
【請求項１】
グループ化された自装置及び他の無線通信端末装置に対するＡＣＫ／ＮＡＣＫ情報であって、グループ内の各無線通信端末装置が互いに復号可能なＡＣＫ／ＮＡＣＫ情報を受信する受信手段と、
前記グループに割り当てられた無線リソースのうち、周波数の高い側又は低い側で連続する無線リソースを前記グループに共有の再送用無線リソースとし、前記ＡＣＫ／ＮＡＣＫ情報に基づいて、前記再送用無線リソースを割り当てる再送制御手段と、
割り当てられた前記再送用無線リソースを用いて、再送データを送信する送信手段と、
を具備する無線通信端末装置。
【請求項２】
前記受信手段は、一定期間グループの更新が制限され、グループ内の他の無線通信端末装置に同時に送信された、自装置及び他の無線通信端末装置を示すグループ情報を受信する請求項１に記載の無線通信端末装置。
【請求項３】
前記受信手段は、初回データ送信において自装置及び他の無線通信端末装置がグループ化されている場合、初回データ送信と同一の無線通信端末装置を示すグループ情報を受信する請求項２に記載の無線通信端末装置。
【請求項４】
前記受信手段は、初回送信用無線リソースのリソースサイズが同一の無線通信端末装置を示すグループ情報を受信する請求項１に記載の無線通信端末装置。
【請求項５】
前記再送制御手段は、初回送信用無線リソースのリソースサイズ及び平均再送確率から決定されたリソースサイズの前記再送用無線リソースを割り当てる請求項１に記載の無線通信端末装置。
【請求項６】
前記再送制御手段は、初回送信用無線リソースのリソースサイズ、平均再送確率及び再送回数から再送のたびに決定されたリソースサイズの前記再送用無線リソースを再送毎に割り当てる請求項１に記載の無線通信端末装置。
【請求項７】
前記再送制御手段は、システム帯域の端に位置する無線リソースを再送用無線リソースとして割り当てる請求項１に記載の無線通信端末装置。
【請求項８】
前記再送制御手段は、グループ内の各無線通信端末装置に付された優先順位に基づいて、優先順位が高いほど周波数の高い再送用無線リソースを割り当て、優先順位が低いほど周波数の低い再送用無線リソースを割り当てる請求項１に記載の無線通信端末装置。
【請求項９】
前記再送制御手段は、グループ内の各無線通信端末装置に付された優先順位に基づいて、優先順位が高い無線通信端末装置から再送用無線リソースを割り当てる請求項１に記載の無線通信端末装置。
【請求項１０】
前記再送制御手段は、グループ内の他の無線通信端末装置と同時に再送を必要とし、他の無線通信端末装置より自装置の優先順位が低い場合、再送データの送信を待機させる請求項９に記載の無線通信端末装置。
【請求項１１】
前記再送制御手段は、グループ内の他の無線通信端末装置と同時に再送を必要とし、他の無線通信端末装置より自装置の優先順位が低い場合、再送用無線リソース以外の無線リソースを適応的に割り当てる請求項９に記載の無線通信端末装置。
【請求項１２】
前記再送制御手段は、再送回数が所定回数以上の場合に再送用無線リソース以外の無線リソースを適応的に割り当てる請求項１０に記載の無線通信端末装置。
【請求項１３】
前記優先順位は、再送確率の高い無線通信端末装置から順に順位付けされた請求項９に記載の無線通信端末装置。
【請求項１４】
グループ内の各無線通信端末装置に付された優先順位に基づいて、自装置のＡＣＫ／ＮＡＣＫ信号及び自装置より優先順位の高い無線通信端末装置のＡＣＫ／ＮＡＣＫ信号を復号するＡＣＫ／ＮＡＣＫ復号手段を具備する請求項１に記載の無線通信端末装置。
【請求項１５】
グループ化する複数の無線通信端末装置と、前記複数の無線通信端末装置の優先順位とを決定するグループ決定手段と、
グループ内の各無線通信端末装置に対するＡＣＫ／ＮＡＣＫ信号であって、前記各無線通信端末装置が互いに復号可能なＡＣＫ／ＮＡＣＫ信号を前記優先順位に応じた品質で送信する送信手段と、
を具備する無線通信基地局装置。
【請求項１６】
前記送信手段は、前記優先順位の高い無線通信端末装置ほど、ＡＣＫ／ＮＡＣＫ信号の送信電力を上げて送信する請求項１５に記載の無線通信基地局装置。
【請求項１７】
前記送信手段は、前記優先順位とグループ内の無線通信端末装置の受信品質とを用いて、前記ＡＣＫ／ＮＡＣＫ信号の送信電力オフセット量を無線通信端末装置毎に決定し、決定した送信電力オフセット量をＡＣＫ／ＮＡＣＫ信号に加える請求項１６に記載の無線通信基地局装置。
【請求項１８】
前記送信手段は、前記優先順位が高い無線通信端末装置に対するＡＣＫ／ＮＡＣＫほど、誤り耐性の強いビット割り当てを行い、グループ内の無線通信端末装置のＡＣＫ／ＮＡＣＫ信号を１シンボルにマッピングする変調手段を具備する請求項１５に記載の無線通信基地局装置。
【請求項１９】
前記グループ決定手段は、前記変調手段によってマッピングされるＡＣＫ／ＮＡＣＫ信号のビット毎の通信品質に基づいて、グループ化する複数の無線通信端末装置を決定する請求項１８に記載の無線通信基地局装置。
【請求項２０】
グループ化された自装置及び他の無線通信端末装置に対するＡＣＫ／ＮＡＣＫ情報であって、グループ内の各無線通信端末装置が互いに復号可能なＡＣＫ／ＮＡＣＫ情報を受信する受信工程と、
前記グループに割り当てられた無線リソースのうち、周波数の高い側又は低い側で連続する無線リソースを前記グループに共有の再送用無線リソースとし、前記ＡＣＫ／ＮＡＣＫ情報に基づいて、前記再送用無線リソースを割り当てる再送制御工程と、
を具備する無線リソース割当方法。
【発明の詳細な説明】
【技術分野】
【０００１】  本発明は、Ｓｙｎｃｈｒｏｎｏｕｓ−ＨＡＲＱを用いる無線通信端末装置、無線通信基地局装置及び無線リソース割当方法に関する。
【背景技術】
【０００２】  現在、３ＧＰＰ  ＲＡＮ  ＬＴＥ（Ｌｏｎｇ  Ｔｅｒｍ  Ｅｖｏｌｕｔｉｏｎ）におけるデータ伝送において、前回までに受信したデータと新規受信データとを合成することにより、データスループットを改善するＨＡＲＱの適用が検討されている。ＨＡＲＱとしては、Ｓｙｎｃｈｒｏｎｏｕｓ又はＡｓｙｎｃｈｒｏｎｏｕｓの適用が検討されている。【０００３】  Ｓｙｎｃｈｒｏｎｏｕｓ−ＨＡＲＱは、Ａｓｙｎｃｈｒｏｎｏｕｓ−ＨＡＲＱと比較して、シグナリングオーバヘッドが少なく、また、回路構成がシンプル等の特徴を有するため、上りリンクではＳｙｎｃｈｒｏｎｏｕｓ−ＨＡＲＱを用いることで合意された。ここで、Ｓｙｎｃｈｒｏｎｏｕｓとは、初回又は前回データ送信タイミングと、再送時のデータ送信タイミングの時間間隔が予め固定で決まっていることを指す。【０００４】  また、Ｓｙｎｃｈｒｏｎｏｕｓ−ＨＡＲＱには、データ再送時の変調方式、符号化率及び送信帯域が予め決められたＮｏｎ−ａｄａｐｔｉｖｅ  ＨＡＲＱと、データ再送時の変調方式、符号化率及び送信帯域を変更可能なＡｄａｐｔｉｖｅ  ＨＡＲＱの導入が検討されている（例えば、非特許文献１参照）。【０００５】  ここで、Ｓｙｎｃｈｒｏｎｏｕｓ／ｎｏｎ−ａｄａｐｔｉｖｅ  ＨＡＲＱにおける無線リソース使用状況を図１に示し、また、Ｓｙｎｃｈｒｏｎｏｕｓ／ａｄａｐｔｉｖｅ  ＨＡＲＱにおける無線リソース使用状況を図２に示す。Ｎｏｎ−ａｄａｐｔｉｖｅ  ＨＡＲＱを用いる場合は、ＡＣＫ／ＮＡＣＫにより再送制御を行い、ＮＡＣＫを受信した際には初回送信で割り当てられたＭＣＳ（Ｍｏｄｕｌａｔｉｏｎ  ａｎｄ  Ｃｏｄｉｎｇ  Ｓｃｈｅｍｅ）及びリソースブロック（ＲＢ）を用いてデータ再送を行うことにより、再送に伴うシグナリング量の増加を抑えることができる。一方、Ａｄａｐｔｉｖｅ  ＨＡＲＱを用いる場合は、ＡＣＫ／ＮＡＣＫに加えて、ＭＣＳ変更やＲＢの変更を行うことにより、無線状態により適した再送を行うことができ、データスループットを向上させることができる。
【非特許文献１】３ＧＰＰ  ＴＳＧ−ＲＡＮ  ＷＧ１  Ｍｅｅｔｉｎｇ  Ａｄ  Ｈｏｃ  ＬＴＥ，Ｒ１−０６０２３１，Ｈｕａｗｅｉ“Ｃｏｎｓｉｄｅｒａｔｉｏｎｓ  ｏｎ  Ｓｙｎｃｈｒｏｎｏｕｓ  ＨＡＲＱ  ｉｎ  Ｕｐｌｉｎｋ”，Ｈｅｌｓｉｎｋｉ，Ｆｉｎｌａｎｄ，２３−２５  Ｊａｎｕａｒｙ，２００６
【発明の開示】
【発明が解決しようとする課題】
【０００６】  しかしながら、上述したＮｏｎ−ａｄａｐｔｉｖｅ  ＨＡＲＱの再送技術では、データ再送時に無線リソースの空き領域が断片化（Ｆｒａｇｍｅｎｔａｔｉｏｎ）することにより、特に、上りリンクにおいては、複数のユーザでリソースを使用する必要があるため、複数のユーザに対してリソース割り当てを行うシグナリングが増加してしまう。以下、この理由について説明する。【０００７】  Ｎｏｎ−ａｄａｐｔｉｖｅ  ＨＡＲＱの場合では、いずれのユーザデータも再送される可能性があるため、誤りの状況によっては、図１に示したように、空きリソースが断片化する可能性がある。特に、上りリンクにおいては、同一ユーザに断片化した複数ＲＢを割り当てると、ＰＡＰＲ（Ｐｅａｋ  ｔｏ  Ａｖｅｒａｇｅ  Ｐｏｗｅｒ  Ｒａｔｉｏ）が劣化してしまうため、通常よりもより大きなバックオフマージンを確保しておく必要がある。このため、同一ユーザを断片化した複数ＲＢに割り当てることができず、断片化した無線リソースを複数のユーザに割り当てることが考えられる。そのため、複数のユーザへの割り当てシグナリング量が増加してしまう。【０００８】  これに対し、ａｄａｐｔｉｖｅ  ＨＡＲＱの再送技術では、誤ったユーザの再送用無線リソースを変更することが可能であるため、空きリソースの断片化は解消されるが、再送用無線リソースの変更を頻繁に通知することから、シグナリング量が増加する。【０００９】  本発明の目的は、データ再送において、シグナリング量の増加を抑えつつ、無線リソース断片化を低減する無線通信端末装置、無線通信基地局装置及び無線リソース割当方法を提供することである。
【課題を解決するための手段】
【００１０】  本発明の無線通信端末装置は、グループ化された自装置及び他の無線通信端末装置に対するＡＣＫ／ＮＡＣＫ情報であって、グループ内の各無線通信端末装置が互いに復号可能なＡＣＫ／ＮＡＣＫ情報を受信する受信手段と、前記グループに割り当てられた無線リソースのうち、周波数の高い側又は低い側で連続する無線リソースを前記グループに共有の再送用無線リソースとし、前記ＡＣＫ／ＮＡＣＫ情報に基づいて、前記再送用無線リソースを割り当てる再送制御手段と、割り当てられた前記再送用無線リソースを用いて、再送データを送信する送信手段と、を具備する構成を採る。【００１１】  本発明の無線通信基地局装置は、グループ化する複数の無線通信端末装置と、前記複数の無線通信端末装置の優先順位とを決定するグループ決定手段と、グループ内の各無線通信端末装置に対するＡＣＫ／ＮＡＣＫ信号であって、前記各無線通信端末装置が互いに復号可能なＡＣＫ／ＮＡＣＫ信号を前記優先順位に応じた品質で送信する送信手段と、を具備する構成を採る。【００１２】  本発明の無線リソース割当方法は、グループ化された自装置及び他の無線通信端末装置に対するＡＣＫ／ＮＡＣＫ情報であって、グループ内の各無線通信端末装置が互いに復号可能なＡＣＫ／ＮＡＣＫ情報を受信する受信工程と、前記グループに割り当てられた無線リソースのうち、周波数の高い側又は低い側で連続する無線リソースを前記グループに共有の再送用無線リソースとし、前記ＡＣＫ／ＮＡＣＫ情報に基づいて、前記再送用無線リソースを割り当てる再送制御工程と、を具備するようにした。
【発明の効果】
【００１３】  本発明によれば、データ再送において、シグナリング量の増加を抑えつつ、無線リソース断片化を低減することができる。
【図面の簡単な説明】
【００１４】
【図１】Ｓｙｎｃｈｒｏｎｏｕｓ／ｎｏｎ−ａｄａｐｔｉｖｅ  ＨＡＲＱにおける無線リソース使用状況を示す図
【図２】ｓｙｎｃｈｒｏｎｏｕｓ／ａｄａｐｔｉｖｅ  ＨＡＲＱにおける無線リソース使用状況を示す図
【図３】本発明の実施の形態１に係る移動局の構成を示すブロック図
【図４】本発明の実施の形態１に係る基地局の構成を示すブロック図
【図５】図３に示した移動局及び図４に示した基地局の通信手順を示すシーケンス図
【図６】本発明の実施の形態１に係るデータ再送時の再送用無線リソース割り当て方法を示す図
【図７】本発明の実施の形態２に係るデータ再送時の再送用無線リソース割り当て方法を示す図
【図８】本発明の実施の形態２に係るデータ再送時の他の再送用無線リソース割り当て方法を示す図
【図９】本発明の実施の形態３に係るデータ再送時の再送用無線リソース割り当て方法を示す図
【図１０】本発明の実施の形態４に係る移動局の処理を示すフロー図
【図１１】指定再送回数Ｎ＝１の場合におけるデータ再送時の他の再送用無線リソース割り当て方法を示す図
【図１２】指定再送回数Ｎ＝２の場合におけるデータ再送時の他の再送用無線リソース割り当て方法を示す図
【図１３】本発明の実施の形態５に係る基地局の構成を示すブロック図
【図１４】本発明の実施の形態５に係る移動局の構成を示すブロック図
【図１５】図１４に示した制御部におけるユーザ選択方法の説明に供する図
【図１６】本発明の実施の形態６に係る基地局の構成を示すブロック図
【図１７】１６ＱＡＭの信号点を示す図
【図１８】本発明の実施の形態７に係る基地局の構成を示すブロック図
【図１９】本発明の実施の形態７に係る移動局の構成を示すブロック図
【発明を実施するための最良の形態】
【００１５】  以下、本発明の実施の形態について、図面を参照して詳細に説明する。【００１６】  （実施の形態１）
図３は、本発明の実施の形態１に係る移動局１００の構成を示すブロック図である。この図において、無線受信部１０２は、アンテナ１０１を介して受信した信号に周波数変換などの無線受信処理を施し、無線受信処理を施した信号を復調部１０３に出力する。【００１７】  復調部１０３は、無線受信部１０２から出力された信号を用いて、チャネル状況を推定する。復調部１０３は、推定したチャネル状況に基づいて、無線受信部１０２から出力された信号に同期検波又は周波数等化等の処理を行い、同期検波又は周波数等化等の処理を行った信号をデータ復号部１０４、グループ情報復号部１０５、ＡＣＫ／ＮＡＣＫ復号部１０６及びＳｃｈｅｄｕｌｉｎｇ  ｇｒａｎｔ復号部１０７に出力する。【００１８】  データ復号部１０４は、復調部１０３から出力された信号に、送信側における符号化方法に対応した復号処理を施し、ユーザデータを出力する。【００１９】  グループ情報復号部１０５は、復調部１０３から出力された信号からグループ情報を復号する。なお、グループ情報とは、ＲＢサイズが同じ複数ユーザをグループ化し、グループ内の各ユーザに対するＡＣＫ／ＮＡＣＫを各ユーザが互いに復号可能としたグループ及びグループ内の移動局を示すＡＣＫ／ＮＡＣＫグループ情報、グループ内の各ユーザの優先順位及びＡＣＫ／ＮＡＣＫグループ情報の復号に用いる制御情報のことである。復号されたグループ情報のうち、ＡＣＫ／ＮＡＣＫグループ情報及びこの情報の復号に用いる制御情報は、ＡＣＫ／ＮＡＣＫ復号部１０６に出力され、優先順位は再送制御部１０８に出力される。【００２０】  ＡＣＫ／ＮＡＣＫ復号部１０６は、グループ情報復号部１０５から出力されたＡＣＫ／ＮＡＣＫグループ情報及びこれらの復号に用いる制御情報を用いて、復調部１０３から出力されたＡＣＫ／ＮＡＣＫ信号を復号し、復号したＡＣＫ／ＮＡＣＫ情報を再送制御部１０８に出力する。復号されたＡＣＫ／ＮＡＣＫ情報には、グループ化された各ユーザのＡＣＫ又はＮＡＣＫが含まれている。【００２１】  Ｓｃｈｅｄｕｌｉｎｇ  ｇｒａｎｔ復号部１０７は、復調部１０３から出力された信号からデータ送信におけるＭＣＳ、初回データ送信用割り当て帯域関連情報（ＲＢサイズ、ＲＢ位置）、及び、再送データ送信用割り当て帯域関連情報（ＲＢサイズ、ＲＢ位置）を復号し、復号したこれらの情報を再送制御部１０８に出力する。【００２２】  再送制御部１０８は、ＡＣＫ／ＮＡＣＫ復号部１０６から出力された複数ユーザのＡＣＫ／ＮＡＣＫ情報、Ｓｃｈｅｄｕｌｉｎｇ  ｇｒａｎｔ復号部１０７から出力されたＭＣＳ及び初回データ送信用割り当て帯域情報、再送データ送信用割り当て帯域情報（ＲＢサイズ、ＲＢ位置）を用いて、データ送信回数、ＭＣＳ、ＨＡＲＱ動作決定のためのＲｅｄｕｎｄａｎｃｙ  Ｖｅｒｓｉｏｎ（ＲＶ）、データ送信を行うための割り当て帯域情報（ＲＢサイズ、ＲＢ位置）を決定し、決定したデータ送信回数をデータ制御部１０９に出力し、ＭＣＳ及びＲＶを符号化変調部１１０に出力し、割り当て帯域関連情報を帯域割当部１１１に出力する。【００２３】  データ制御部１０９は、再送制御部１０８から出力されたデータ送信回数に応じて、ユーザデータを符号化変調��１１０に出力する。すなわち、初回データ送信時には、新たなユーザデータを出力し、データ再送時には初回データと同一のデータを符号化変調部１１０に出力する。【００２４】  符号化変調部１１０は、再送制御部１０８から出力されたＭＣＳに従って、データ制御部１０９から出力されたユーザデータに符号化及び変調を行う。また、ＲＶに応じて、データのレートマッチ等も行い、レートマッチ等を行った信号を帯域割当部１１１に出力する。【００２５】  帯域割当部１１１は、符号化変調部１１０から出力された信号に再送制御部１０８から出力された帯域を割り当て、帯域を割り当てた信号を無線送信部１１２に出力する。【００２６】  無線送信部１１２は、帯域割当部１１１から出力された信号に周波数変換などの無線送信処理を施し、無線送信処理を施した信号をアンテナ１０１から送信する。【００２７】  図４は、本発明の実施の形態１に係る基地局１５０の構成を示すブロック図である。この図において、無線受信部１５２は、アンテナ１５１を介して受信した信号に周波数変換などの無線受信処理を施し、無線受信処理を施した信号を復調部１５３に出力する。【００２８】  復調部１５３は、無線受信部１５２から出力された信号を用いて、チャネル状況を推定する。復調部１５３は、推定したチャネル状況に基づいて、無線受信部１５２から出力された信号に同期検波又は周波数等化等の処理を行い、同期検波又は周波数等化等の処理を行った信号をリソース分割部１５４に出力する。【００２９】  リソース分割部１５４は、データ復号ＨＡＲＱ部１５５から出力される再送回数及びユーザ毎のＡＣＫ／ＮＡＣＫ情報、Ｓｃｈｅｄｕｌｉｎｇ部１５６から出力される初回データ送信用割り当て帯域情報、再送用無線リソース決定部１５８から出力される再送データ送信用割り当て帯域情報を用いて、復調部１５３から出力された信号をユーザ毎の受信データに分割し、分割したユーザ毎の受信データをデータ復号ＨＡＲＱ部１５５に出力する。【００３０】  データ復号ＨＡＲＱ部１５５は、リソース分割部１５４から出力されたユーザ毎の受信データに復号化処理とＨＡＲＱ処理とを施し、さらにＣＲＣ復号処理を施す。ＣＲＣ復号処理により、ＡＣＫ／ＮＡＣＫ情報をリソース分割部１５４及び符号化変調部１５９に出力し、誤りなしの場合は、ユーザデータを出力する。【００３１】  Ｓｃｈｅｄｕｌｉｎｇ部１５６は、複数移動局の上り回線品質情報を用いて、上りデータ送信を行うユーザの特定並びに、特定したユーザに指示するＭＣＳ、初回データ送信用割り当て帯域情報を決定し、決定した情報をＳｃｈｅｄｕｌｉｎｇ情報として符号化変調部１５９に出力する。【００３２】  グループ決定部１５７は、再送用無線リソースを共有するグループと各ユーザの優先順位を決定し、決定したグループを示すＡＣＫ／ＮＡＣＫグループ情報と優先順位とを再送用無線リソース決定部１５８及び符号化変調部１５９に出力する。なお、決定したグループは一定期間更新を制限し、頻繁なグループ更新を抑制することにより、ＡＣＫ／ＮＡＣＫグループ情報のシグナリング量を低減する。また、初回送信用ＲＢサイズが同一のユーザをグループ化することにより、初回送信用ＲＢサイズを基準に��送用ＲＢサイズを容易に決定することができる。【００３３】  再送用無線リソース決定部１５８は、グループ決定部１５７から出力されたＡＣＫ／ＮＡＣＫグループ情報及び優先順位に基づいて、グループで共有する再送データ用割り当て帯域を決定し、決定した再送データ用割り当て帯域情報をリソース分割部１５４及び符号化変調部１５９に出力する。【００３４】  符号化変調部１５９は、データ復号ＨＡＲＱ部１５５から出力されたＡＣＫ／ＮＡＣＫ情報、Ｓｃｈｅｄｕｌｉｎｇ部１５６から出力されたＳｃｈｅｄｕｌｉｎｇ情報、グループ決定部１５７から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は無線送信部１６０に出力される。【００３５】  無線送信部１６０は、符号化変調部１５９から出力された信号に周波数変換などの無線送信処理を施し、無線送信処理を施した信号をアンテナ１５１から送信する。【００３６】  次に、上述した移動局１００及び基地局１５０の通信手順について図５を用いて説明する。図５において、ステップ（以下、「ＳＴ」と省略する）２０１では、基地局１５０のグループ決定部１５７がＡＣＫ／ＮＡＣＫグループとグループ内の各ユーザの優先順位を決定し、ＳＴ２０２では、決定されたこれらの情報を移動局１００に通知する。【００３７】  ＳＴ２０３では、基地局１５０の再送用無線リソース決定部１５８がグループで共有するデータ再送用割り当て帯域を決定し、ＳＴ２０４では、決定されたデータ再送用割り当て帯域情報を移動局１００に通知する。【００３８】  ＳＴ２０５では、基地局１５０のＳｃｈｅｄｕｌｉｎｇ部１５６が上りＳｃｈｅｄｕｌｉｎｇを決定し、ＳＴ２０６では、決定された上りＳｃｈｅｄｕｌｉｎｇ情報を移動局１００に通知する。【００３９】  ＳＴ２０７では、基地局１５０から通知された上りＳｃｈｅｄｕｌｉｎｇ情報に基づいて、移動局１００は基地局１５０にデータを送信する。【００４０】  ＳＴ２０８では、移動局１００から送信されたデータの復号結果に基づいて、基地局１５０のデータ復号ＨＡＲＱ部１５５がＡＣＫ／ＮＡＣＫ情報を生成し、ＳＴ２０９では、生成されたＡＣＫ／ＮＡＣＫ情報を移動局１００に通知する。ここでは、データ復号ＨＡＲＱ部１５５はＮＡＣＫを生成したものとする。【００４１】  ＳＴ２１０では、移動局１００のＡＣＫ／ＮＡＣＫ復号部１０６が基地局１５０から通知されたＡＣＫ／ＮＡＣＫ情報を復号する。ここでは、ＡＣＫ／ＮＡＣＫ情報が自移動局についてＮＡＣＫを示すことから、ＳＴ２１１では、移動局１００の再送制御部１０８がＡＣＫ／ＮＡＣＫ情報に基づいて、再送用無線リソース（再送データ送信用割り当て帯域）をグループ内のＮＡＣＫユーザ数で等分し、ＮＡＣＫユーザ数で等分した再送用無線リソースを用いてデータ再送を行う。【００４２】  なお、移動局がＡＣＫを受信するまで、または最大再送回数に達するまでＳＴ２０８からＳＴ２１１の処理が繰り返し行われる。【００４３】  次に、データ再送時の再送用無線リソース割り当て方法について図６を用いて説明する。ここでは、���ーザ＃１〜＃４の４ユーザをグループ化し、ユーザ＃１〜＃４に送信されたＡＣＫ／ＮＡＣＫは各ユーザで互いに復号可能とする。また、再送用無線リソース（ＲＢ）として初回送信用ＲＢのうち、周波数の高い方の連続する２ＲＢを予め定義しておく。なお、ＲＢサイズは、初回送信用ＲＢサイズ及び平均再送確率から算出するものとする。さらに、ＡＣＫを「０」、ＮＡＣＫを「１」と定義する。【００４４】  ＡＣＫ／ＮＡＣＫ情報は、ユーザ＃１〜＃４の順に「０」又は「１」を通知するものとすると、例えば、ＡＣＫ／ＮＡＣＫ情報が「１０１０」である場合、ユーザ＃１とユーザ＃３の２ユーザにデータ誤りが生じたと判定できる。したがって、再送用ＲＢを２ユーザに割り当て、割り当てられたＲＢを用いてユーザ＃１及びユーザ＃３はデータ再送を行う。ここで、予め基地局がユーザ毎に再送用ＲＢ位置の優先順位を移動局に通知しておくことにより、例えば、優先順位の高い順にユーザ＃１〜＃４とすると、周波数の高いＲＢをユーザ＃１に割り当て、周波数の低いＲＢをユーザ＃３に割り当てることができる。【００４５】  ユーザ＃１及びユーザ＃３の再送の結果、ＡＣＫ／ＮＡＣＫ情報が「００１０」であった場合、ユーザ＃３にデータ誤りが生じたと判定できるので、再送用ＲＢをユーザ＃３に割り当てる。図６では、ユーザ＃３の再送（再送２）の結果、ＡＣＫ／ＮＡＣＫ情報が「００００」であった場合を示しており、これにより、ユーザ＃１〜＃４のデータが正常に送信完了となる。【００４６】  このように実施の形態１によれば、移動局と基地局との間でＳｙｎｃｈｒｏｎｏｕｓ−ＨＡＲＱを用いたデータ通信を行う場合において、複数のユーザをグループ化し、グループ内の複数ユーザに割り当てた初回送信用リソースのうち周波数の高い方又は低い方のいずれかを予め再送用無線リソースとすると共に、グループ内の複数ユーザで再送用無線リソースを共有することにより、シグナリング量を増加させることなく、無線リソース断片化を低減することができる。【００４７】  なお、本実施の形態では、再送用ＲＢサイズを初回送信用ＲＢサイズ及び平均再送確率から算出するものとして説明したが、初回送信用ＲＢサイズ、平均再送確率及び再送回数から再送毎に算出するようにしてもよい。【００４８】  また、本実施の形態では、優先順位の高いユーザに再送用ＲＢのうち周波数の高いＲＢを割り当て、優先順位の低いユーザに周波数の低いＲＢを割り当てるものとして説明したが、逆に、優先順位の高いユーザに周波数の低いＲＢを割り当て、優先順位の低いユーザに周波数の高いＲＢを割り当てるようにしてもよい。【００４９】  また、本実施の形態では、初回送信用ＲＢサイズが同一のユーザをグループ化するものとして説明したが、初回送信用ＲＢサイズが異なるユーザを同一グループにしてもよい。【００５０】  また、本実施の形態では、グループ内の複数ユーザに割り当てた初回送信用リソースのうち周波数の高い方又は低い方のいずれかを予め再送用無線リソースとするものとして説明したが、周波数の高い方又は低い方のいずれを再送用無線リソースとするかを別途通知するようにしてもよい。【００５１】  （実施の形態２）
本発明の実施の形態２に係る移動局及び基地局の構成は、実施の形態１における図３及び図４に示した構成と同様であるので、図３及び図４を援用し、重複する説明は省略する。【００５２】  本発明の実施の形態２に係るデータ再送時の再送用無線リソース割り当て方法について図７を用いて説明する。ここでは、システム帯域の中にグループＡ，Ｂを設け、ユーザ＃１〜＃４の４ユーザをグループ化（グループＡ）し、ユーザ＃１〜＃４に送信されたＡＣＫ／ＮＡＣＫはグループＡ内の各ユーザで互いに復号可能とする。また、ユーザ＃５〜＃８の４ユーザをグループ化（グループＢ）し、ユーザ＃５〜＃８に送信されたＡＣＫ／ＮＡＣＫはグループＢ内の各ユーザで互いに復号可能とする。【００５３】  また、システム帯域の両端に再送用無線リソース（ＲＢ）を予め定義しておき、グループＡの再送用無線リソースはシステム帯域のうち、周波数の高い方のリソースを用い、グループＢの再送用無線リソースはシステム帯域のうち、周波数の低い方のリソースを用いるものとする。さらに、ＡＣＫを「０」、ＮＡＣＫを「１」と定義する。【００５４】  ＡＣＫ／ＮＡＣＫ情報は、グループＡでは、ユーザ＃１〜＃４の順に「０」又は「１」を通知するものとすると、例えば、グループＡのＡＣＫ／ＮＡＣＫ情報が「１０００」である場合、ユーザ＃１にデータ誤りが生じたと判定できる。また、グループＢでは、ユーザ＃５〜＃８の順に「０」又は「１」を通知するものとすると、グループＢのＡＣＫ／ＮＡＣＫ情報が「００１０」である場合、ユーザ＃７にデータ誤りが生じたと判定できる。【００５５】  したがって、グループＡでは、再送用ＲＢをユーザ＃１に割り当て、グループＢでは、再送用ＲＢをユーザ＃７に割り当てる。【００５６】  ユーザ＃１及びユーザ＃７の再送の結果、グループＡのＡＣＫ／ＮＡＣＫ情報が「１０００」、グループＢのＡＣＫ／ＮＡＣＫ情報が「００００」であった場合、ユーザ＃１にデータ誤りが生じたと判定できるので、グループＡにおいて、再送用ＲＢをユーザ＃１に割り当てる。【００５７】  このように実施の形態２によれば、再送用無線リソースにシステム帯域の端を用いることにより、シグナリング量を増加させることなく、無線リソース断片化を低減することができる。【００５８】  なお、本実施の形態では、システム帯域を５ＭＨｚ程度と想定し、再送用無線リソースをシステム帯域の両端に設けるものとして説明したが、より広いシステム帯域、例えば、１０ＭＨｚの場合、図８Ａに示すように、５ＭＨｚ毎に再送用無線リソースを設けてもよいし、２０ＭＨｚの場合、図８Ｂに示すように、１０ＭＨｚ毎（又は５ＭＨｚ毎）に再送用無線リソースを設けてもよい。【００５９】  また、本実施の形態では、再送用無線リソースをシステム帯域の両端に設けるものとして説明したが、両端が制御チャネルなどに使用されている場合は、制御チャネルに近接するなるべく端の周波数リソースを再送用無線リソースとして設けてもよい。【００６０】  （実施の形態３）
本発明の実施の形態３に係る移動局及び基地局の構成は、実施の形態１における図３及び図４に示した構成と同様であるので、図３及び図４を援用し、重複する説明は省略する。【００６１】  本発明の実施の形態３に係るデータ再送時の再送用無線リソース割り当て方法について図９を用いて説明する。ここでは、ユーザ＃１〜＃４の４ユーザをグループ化し、ユーザ＃１〜＃４に送信されたＡＣＫ／ＮＡＣＫは各ユーザで互いに復号可能とする。【００６２】  また、再送用無線リソース（ＲＢ）として初回送信用ＲＢのうち、周波数の高い方の１ＲＢを予め定義しておく。なお、ＲＢサイズは、初回送信用ＲＢサイズ及び平均再送確率から算出するものとする。また、ＡＣＫを「０」、ＮＡＣＫを「１」と定義する。さらに、予めユーザ毎に時間優先順位を決めておき、例えば、優先順位の高い順にユーザ＃１〜＃４とする。【００６３】  ＡＣＫ／ＮＡＣＫ情報は、ユーザ＃１〜＃４の順に「０」又は「１」を通知するものとすると、例えば、グループＡのＡＣＫ／ＮＡＣＫ情報が「１０１０」である場合、ユーザ＃１とユーザ＃３の２ユーザにデータ誤りが生じたと判定できる。ここでは、ユーザ＃１の時間優先順位が高いので、再送用ＲＢをユーザ＃１に割り当て、ユーザ＃３の再送は待機させる。【００６４】  ユーザ＃１の再送の結果、ＡＣＫ／ＮＡＣＫ情報が「００１０」であった場合、ユーザ＃１のデータ誤りが解消し、依然としてユーザ＃３にデータ誤りが生じていると判定できるので、再送用ＲＢをユーザ＃３に割り当てる。【００６５】  このように実施の形態３によれば、再送用無線リソースが少なく、再送を必要とするユーザ数を１回の再送でサポートできない場合でも、グループ内のユーザに予め時間優先順位を決めておき、時間優先順位に従って、順次再送することにより、シグナリング量を増加させることなく、無線リソース断片化を低減することができる。【００６６】  なお、本実施の形態では、再送確率の高いユーザの優先順位を上位に上げることにより、効率的にデータ再送を行うことができる。【００６７】  （実施の形態４）
本発明の実施の形態４に係る移動局及び基地局の構成は、実施の形態１における図３及び図４に示した構成と同様であるので、図３及び図４を援用し、重複する説明は省略する。【００６８】  図１０は、本発明の実施の形態４に係る移動局の処理を示すフロー図である。この図において、ＳＴ３０１では、基地局から自移動局に送信されたＡＣＫ／ＮＡＣＫ情報がＡＣＫであるか否かを判定し、ＡＣＫである場合には処理を終了し、ＡＣＫではない、すなわち、ＮＡＣＫである場合には、ＳＴ３０２に移行する。【００６９】  ＳＴ３０２では、今回の再送がＮ回目以上か否かを判定し、Ｎ回目未満（Ｎｏ）であればＳＴ３０３に移行し、再送を待機し、ＳＴ３０１に戻る。また、Ｎ回目以上（Ｙｅｓ）であればＳＴ３０４に移行する。なお、Ｎは指定再送回数という。【００７０】  ＳＴ３０４では、グループのＡＣＫ／ＮＡＣＫを判定し、ＳＴ３０５では、自移動局より優先順位の高いユーザのＮＡＣＫがあるか否かを判定する。自移動局より優先順位の高いユーザのＮＡＣＫがある（Ｙｅｓ）場合には、ＳＴ３０６に移行し、自移動局より優先順位の高いユーザのＮＡＣＫがない（Ｎｏ）場合には、ＳＴ３０７に移行する。【００７１】  ＳＴ３０６では、Ｌ１／Ｌ２制御信号を復号し、自移動局宛のＳｃｈｅｄｕｌｉｎｇ  ｇｒａｎｔを復号し、ＳＴ３０７では、データ再送を行う。【００７２】  次に、データ再送時の再送用無線リソース割り当て方法について説明する。ここでは、ユーザ＃１〜＃４の４ユーザをグループ化し、ユーザ＃１〜＃４に送信されたＡＣＫ／ＮＡＣＫはグループ内の各ユーザで互いに復号可能とする。【００７３】  また、再送用無線リソース（ＲＢ）として初回送信用ＲＢのうち、周波数の高い方の１ＲＢを予め定義しておく。ＲＢサイズは、初回送信用ＲＢサイズ及び平均再送確率から算出するものとする。また、ＡＣＫを「０」、ＮＡＣＫを「１」と定義する。さらに、予めユーザ毎に優先順位を決めておき、例えば、優先順位の高い順にユーザ＃１〜＃４とする。【００７４】  まず、指定再送回数Ｎ＝１の場合について図１１を用いて説明する。ＡＣＫ／ＮＡＣＫ情報は、ユーザ＃１〜＃４の順に「０」又は「１」を通知するものとすると、例えば、初回送信に対するＡＣＫ／ＮＡＣＫ情報が「１０１０」である場合、ユーザ＃１とユーザ＃３の２ユーザにデータ誤りが生じたと判定できる。ここでは、ユーザ＃１の優先順位が高いので、再送用ＲＢをユーザ＃１に割り当て、優先順位の低いユーザ＃３には空き領域を自由に割り当てる。【００７５】  ユーザ＃１及びユーザ＃３の再送の結果、ＡＣＫ／ＮＡＣＫ情報が「１０００」であった場合、ユーザ＃３のデータ誤りが解消し、依然としてユーザ＃１にデータ誤りが生じていると判定できるので、再送用ＲＢをユーザ＃１に割り当てる。【００７６】  次に、指定再送回数Ｎ＝２の場合についで図１２を用いて説明する。例えば、初回送信に対するＡＣＫ／ＮＡＣＫ情報が「１０１０」である場合、ユーザ＃１とユーザ＃３の２ユーザにデータ誤りが生じたと判定できる。ここでは、ユーザ＃１の優先順位が高いので、再送用ＲＢをユーザ＃１に割り当て、優先順位の低いユーザ＃３の再送は待機させる。【００７７】  ユーザ＃��の再送の結果、ＡＣＫ／ＮＡＣＫ情報が「１０１０」であった場合、依然としてユーザ＃１及びユーザ＃３にデータ誤りが生じていると判定できるので、引き続き再送用ＲＢをユーザ＃１に割り当てると共に、ユーザ＃３には空き領域を自由に割り当てる。【００７８】  このように実施の形態４によれば、再送回数が指定再送回数以上となり、複数ユーザが同時にデータ再送を行う場合、優先順位の低いユーザに空きリソースを自由に割り当てることにより、ユーザデータの遅延時間を低減することができる。【００７９】  なお、本実施の形態では、優先順位の高いユーザに再送用ＲＢを割り当て、優先順位の低いユーザに空きリソースを自由に割り当てるものとして説明したが、逆に、優先順位の高いユーザに空きリソースを自由に割り当て、優先順位の低いユーザに再送用ＲＢを割り当てるようにしてもよい。【００８０】  （実施の形態５）
本発明の実施の形態５に係る基地局４００の構成について、図１３を用いて説明する。ただし、図１３が図４と異なる点は、変調多重部４０１及び多重部４０３を追加した点と、符号化変調部１５９を符号化変調部４０２に変更した点である。【００８１】  変調多重部４０１は、データ復号ＨＡＲＱ部１５５から出力されたＡＣＫ／ＮＡＣＫ情報、グループ決定部１５７から出力されたＡＣＫ／ＮＡＣＫグループ情報及び優先順位、ユーザ毎の受信品質に基づいて、ユーザ毎の送信電力オフセット量を決定する。具体的には、優先順位の高いユーザほどＡＣＫ／ＮＡＣＫ信号の送信電力オフセット量を多くし、ＡＣＫ／ＮＡＣＫ信号の通信品質を向上させる。ここで、グループ化されているユーザ数をＭとすると、優先順位＃Ｎのユーザでは、優先順位＃Ｎ〜優先順位＃Ｍのユーザ受信品質（例えば、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏｎ）等）を全て満たすように送信電力オフセット量が決定される。【００８２】  例えば、Ｍ＝４とし、ユーザ＃１〜＃４の受信品質をＳＩＮＲ＃１〜＃４、ユーザ＃１〜＃４の優先順位を優先順位＃１〜＃４とすると、送信電力オフセット量は以下のようになる。ただし、基準ＳＩＮＲは例えばＳＩＮＲ＃４とし、Ｍｉｎ（ＳＩＮＲ＃１〜＃４）はＳＩＮＲ＃１〜＃４のうち最小値を示すものとする。【００８３】  優先順位＃１の送信電力オフセット量＝基準ＳＩＮＲ−Ｍｉｎ（ＳＩＮＲ＃１〜＃４）
優先順位＃２の送信電力オフセット量＝基準ＳＩＮＲ−Ｍｉｎ（ＳＩＮＲ＃２〜＃４）
優先順位＃３の送信電力オフセット量＝基準ＳＩＮＲ−Ｍｉｎ（ＳＩＮＲ＃３〜＃４）
優先順位＃４の送信電力オフセット量＝０【００８４】  このように、優先順位に応じた送信電力オフセット量を決定することにより、優先順位の高いユーザのＡＣＫ／ＮＡＣＫ信号の誤り耐性を向上させることができる。これにより、端末からの再送における衝突の回避を図ることができる。【００８５】  変調多重部４０１は、ユーザ毎のＡＣＫ／ＮＡＣＫ信号をＣＤＭ変調し、決定した送信電力オフセット量をＣＤＭ変調信号に加え、ＣＤＭ多重する。ＣＤＭ多重信号は多重部４０３に出力される。【００８６】  符号化変調部４０２は、Ｓｃｈｅｄｕｌｉｎｇ部１５６から出力されたＳｃｈｅｄｕｌｉｎｇ情報、グループ決定部１５７から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は多重部４０３に出力される。【００８７】  多重部４０３は、変調多重部４０１から出力されたＣＤＭ多重信号と、符号化変調部４０２から出力された信号とをＯＦＤＭ多重し、ＯＦＤＭ多重信号を無線送信部１６０に出力する。なお、変調多重部４０１、多重部４０３、無線送信部１６０は、送信手段として機能する。【００８８】  次に、本発明の実施の形態５に係る移動局４５０の構成について、図１４を用いて説明する。図１４が図３と異なる点は、制御部４５１を追加した点と、ＡＣＫ／ＮＡＣＫ復号部１０６をＡＣＫ／ＮＡＣＫ復号部４５２に変更した点である。【００８９】  制御部４５１は、グループ情報復号部１０５から出力されたＡＣＫ／ＮＡＣＫグループ情報とグループ内の各ユーザの優先順位とを用いて、ＡＣＫ／ＮＡＣＫ復号を行うユーザを選択し、選択したユーザを示すユーザ選択情報をＡＣＫ／ＮＡＣＫ復号部４５２に出力する。【００９０】  ＡＣＫ／ＮＡＣＫ復号部４５２は、制御部４５１から出力されたユーザ選択情報に基づいて、復調部１０３から出力されたＡＣＫ／ＮＡＣＫ信号を復号し、復号したＡＣＫ／ＮＡＣＫ情報を再送制御部１０８に出力する。【００９１】  ここで、制御部４５１におけるユーザ選択方法について図１５を用いて説明する。なお、ユーザ＃１〜＃４の４ユーザをグループ化し、ユーザ＃１〜＃４の順に優先順位が高いものとする。図１５に示すように、自移動局がこのグループ内で優先順位が最も高いユーザ＃１である場合、制御部４５１はユーザ＃１を選択し、ユーザ＃１を示すユーザ選択情報をＡＣＫ／ＮＡＣＫ復号部４５２に出力する。これにより、ユーザ＃１はＡＣＫ／ＮＡＣＫ復号部４５２において自移動局のＡＣＫ／ＮＡＣＫ情報のみを復号する。すなわち、ユーザ＃１はグループ内で最も優先順位が高く、他ユーザの優先順位を考慮する必要がないので、他ユーザのＡＣＫ／ＮＡＣＫ情報を復号する必要がない。【００９２】  また、自移動局がこのグループ内で優先順位が２番目に高いユーザ＃２である場合、制御部４５１はユーザ＃１，＃２を選択し、ユーザ＃１，＃２を示すユーザ選択情報をＡＣＫ／ＮＡＣＫ復号部４５２に出力する。これにより、ユーザ＃２はＡＣＫ／ＮＡＣＫ復号部４５２においてユーザ＃１，＃２のＡＣＫ／ＮＡＣＫ情報を復号する。【００９３】  また、���移動局がこのグループ内で優先順位が３番目に高いユーザ＃３である場合、制御部４５１はユーザ＃１〜＃３を選択し、ユーザ＃１〜＃３を示すユーザ選択情報をＡＣＫ／ＮＡＣＫ復号部４５２に出力する。これにより、ユーザ＃３はＡＣＫ／ＮＡＣＫ復号部４５２においてユーザ＃１〜＃３のＡＣＫ／ＮＡＣＫ情報を復号する。【００９４】  さらに、自移動局がこのグループ内で優先順位が最も低いユーザ＃４である場合、制御部４５１はユーザ＃１〜＃４を選択し、ユーザ＃１〜＃４を示すユーザ選択情報をＡＣＫ／ＮＡＣＫ復号部４５２に出力する。これにより、ユーザ＃４はＡＣＫ／ＮＡＣＫ復号部４５２においてユーザ＃１〜＃４のＡＣＫ／ＮＡＣＫ情報を復号する。【００９５】  このように、自移動局のＡＣＫ／ＮＡＣＫ信号及び自移動局より優先順位の高いユーザのＡＣＫ／ＮＡＣＫ信号を復号し、自移動局より優先順位の低いユーザのＡＣＫ／ＮＡＣＫ信号を復号しないことにより、優先順位の高いユーザほどＡＣＫ／ＮＡＣＫ信号の復号に係る負荷を低減することができる。なお、自移動局より優先順位の低いユーザのＡＣＫ／ＮＡＣＫ信号を復号しなくても、再送における衝突は回避することができる。【００９６】  このように実施の形態５によれば、基地局において、ユーザの優先順位に応じた送信電力オフセット量をユーザ毎のＡＣＫ／ＮＡＣＫ信号の送信電力に付加することにより、優先順位の高いユーザのＡＣＫ／ＮＡＣＫ信号の誤り耐性を向上させることができ、再送における衝突を回避することができる。【００９７】  なお、本実施の形態では、ＡＣＫ／ＮＡＣＫ信号をＣＤＭ多重するものとして説明したが、本発明はこれに限らず、ＡＣＫ／ＮＡＣＫ信号をＦＤＭ多重してもよい。【００９８】  （実施の形態６）
本発明の実施の形態６に係る基地局５００の構成について、図１６を用いて説明する。ただし、図１６が図４と異なる点は、変調部５０２及び多重部５０４を追加した点と、グループ決定部１５７をグループ決定部５０１に変更し、符号化変調部１５９を符号化変調部５０３に変更した点である。【００９９】  グループ決定部５０１は、ユーザ毎の受信品質に基づいて、再送用無線リソースを共有するグループと各ユーザの優先順位を決定し、決定したグループを示すＡＣＫ／ＮＡＣＫグループ情報と優先順位とを再送用無線リソース決定部１５８、変調部５０２及び符号化変調部５０３に出力する。【０１００】  変調部５０２は、データ復号ＨＡＲＱ部１５５から出力されたＡＣＫ／ＮＡＣＫ情報、グループ決定部５０１から出力されたＡＣＫ／ＮＡＣＫグループ情報及び優先順位に基づいて、ユーザ毎のＡＣＫ／ＮＡＣＫ信号に対するビット割り当てを決定し、多値変調を行う。ここでは、変調方式を１６ＱＡＭとし、ユーザ＃１〜＃４の４ユーザをグループ化し、優先順位の高い順にユーザ＃１〜＃４とする。【０１０１】  一般に、各信号点に割り当てられたビットのうち、第１ビットから第４ビットの順に誤り耐性が低くなることが知られている。すなわち、第１ビットの誤り耐性が最も強く、第４ビットの誤り耐性が最も弱いことになる。そこで、変調部５０２は、ユーザ＃１〜＃４のＡＣＫ／ＮＡＣＫ信号を優先順位の高い順に第１ビットから第４ビットに割り当てる。図１７は、１６ＱＡＭの信号点を示す図である。この図に示すＩ１，Ｉ２，Ｑ１，Ｑ２の順に信号点判定が行われる。なお、多値変調されたＡＣＫ／ＮＡＣＫ信号は多重部５０４に出力される。【０１０２】  符号化変調部５０３は、Ｓｃｈｅｄｕｌｉｎｇ部１５６から出力されたＳｃｈｅｄｕｌｉｎｇ情報、グループ決定部５０１から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は多重部５０４に出力される。【０１０３】  多重部５０４は、変調部５０２から出力されたＡＣＫ／ＮＡＣＫ信号と、符号化変調部５０３から出力された信号とをＯＦＤＭ多重し、ＯＦＤＭ多重信号を無線送信部１６０に出力する。【０１０４】  ここで、グループ決定部５０１におけるグループ決定方法について説明する。グループ決定部５０１では、グループ化するユーザを図１７に示したＩ１（Ｑ１）及びＩ２（Ｑ２）の所要ＳＩＮＲ差と、ユーザ毎のＳＩＮＲ差が等しくなるユーザを選択し、グループとユーザの優先順位を決定する。具体的には、例えば、Ｉ１とＩ２との所要ＳＩＮＲ差が３ｄＢであるユーザが同一のグループにグループ化され、グループ化されたユーザのＳＩＮＲが低いユーザほど優先順位を高く設定し、ＳＩＮＲの高いユーザほど優先順位を低く設定する。【０１０５】  このように実施の形態６によれば、基地局において、各ユーザ宛のＡＣＫ／ＮＡＣＫ信号を多値変調する際、ユーザの優先順位に応じたビット割り当てを行い、グループ内のＡＣＫ／ＮＡＣＫ信号を１シンボルにマッピングすることにより、優先順位の高いユーザのＡＣＫ／ＮＡＣＫ信号の誤り���性を向上させることができ、再送における衝突を回避することができる。【０１０６】  なお、本実施の形態では、４ユーザをグループ化し、１６ＱＡＭ変調を行う場合について説明したが、３ユーザをグループ化する場合、ユーザ＃３のＡＣＫ／ＮＡＣＫ信号（ビット）を第３ビット及び第４ビットに重複して割り当て、受信側でこれらのビットを合成するようにしてもよい。【０１０７】  また、本実施の形態では、４ユーザをグループ化し、１６ＱＡＭ変調を行う場合について説明したが、６ユーザをグループ化する場合は６４ＱＡＭ変調を行い、８ユーザをグループ化する場合は２５６ＱＡＭ変調を行ってもよい。【０１０８】  （実施の形態７）
本発明の実施の形態７に係る基地局６００の構成について、図１８を用いて説明する。図１８が図１６と異なる点は、判定部６０２を追加した点と、グループ決定部５０１をグループ決定部６０１に変更し、変調部５０２を変調部６０３に変更した点である。【０１０９】  グループ決定部６０１は、再送用無線リソースを共有するグループと各ユーザの優先順位を決定し、決定したグループを示すＡＣＫ／ＮＡＣＫグループ情報と優先順位とを再送用無線リソース決定部１５８に出力し、ＡＣＫ／ＮＡＣＫグループ情報を判定部６０２に出力する。【０１１０】  判定部６０２は、グループ決定部６０１から出力されたＡＣＫ／ＮＡＣＫグループ情報と、データ復号ＨＡＲＱ部１５５から出力されたＡＣＫ／ＮＡＣＫ情報とに基づいて、グループ内のＮＡＣＫユーザ数を判定する。ＮＡＣＫユーザ数が１の場合、該当ユーザにＮＡＣＫを通知するのにＮＡＣＫチャネルを用いると判定し、ＮＡＣＫユーザ数が２以上の場合、該当ユーザのうち優先順位の高い１ユーザにＮＡＣＫを通知するのにＮＡＣＫチャネルを用い、他のユーザにＮＡＣＫを通知するのにＬ１／Ｌ２制御チャネル（例えば、Ｓｃｈｅｄｕｌｉｎｇチャネル）を用いると判定する。これらの判定結果は変調部６０３及びＳｃｈｅｄｕｌｉｎｇ部１５６に出力される。【０１１１】  変調部６０３は、判定部６０２から出力された判定結果に基づいて、ＮＡＣＫチャネル及びＬ１／Ｌ２制御チャネルを形成し、形成したＮＡＣＫチャネル及びＬ１／Ｌ２制御チャネルを多重部５０３に出力する。なお、判定結果がＡＣＫを示す場合には、何も通知しない。【０１１２】  本発明の実施の形態７に係る移動局６５０の構成について、図１９を用いて説明する。図１９が図３と異なる点は、グループ情報復号部１０５を削除し、ＡＣＫ／ＮＡＣＫ復号部１０６をＮＡＣＫ復号部６５１に変更し、Ｓｃｈｅｄｕｌｉｎｇ  ｇｒａｎｔ復号部１０７をＳｃｈｅｄｕｌｉｎｇ  ｇｒａｎｔ復号部６５２に変更し、再送制御部１０８を再送制御部６５３に変更した点である。【０１１３】  ＮＡＣＫ復号部６５１は、復調部１０３からＮＡＣＫチャネルが出力された場合には、ＮＡＣＫチャネルを復号し、Ｎｏｎ−Ａｄａｐｔｉｖｅ−ＨＡＲＱを行うことを再送制御部６５３に通知する。【０１１４】  Ｓｃｈｅｄｕｌｉｎｇ  ｇｒａｎｔ復号部６５２は、復調部１０３から出力されたＬ１／Ｌ２制御チャネルを復号する。復号したＬ１／Ｌ２制御チャネルが自移動局宛である場合、Ｓｃｈｅｄｕｌｉｎｇ  ｇｒａｎｔ復号部６５２は、ＮＡＣＫと判定し、Ａｄａｐｔｉｖｅ−ＨＡＲＱを行うことを再送制御部６５３に通知する。【０１１５】  再送制御部６５３は、ＮＡＣＫ復号部６５１から通知されたＮｏｎ−Ａｄａｐｔｉｖｅ−ＨＡＲＱを行うこと、またはＳｃｈｅｄｕｌｉｎｇ  ｇｒａｎｔ復号部６５２から通知されたＡｄａｐｔｉｖｅ−ＨＡＲＱを行うことに基づいて、ＭＣＳ、ＲＶ、割り当て帯域情報（ＲＢサイズ、ＲＢ位置）を決定する。また、再送制御部６５３は、ＮＡＣＫ復号部６５１からＮｏｎ−Ａｄａｐｔｉｖｅ−ＨＡＲＱを行うことが通知されず、かつ、Ｓｃｈｅｄｕｌｉｎｇ  ｇｒａｎｔ復号部６５２からＡｄａｐｔｉｖｅ−ＨＡＲＱを行うことが通知されない���合、ＡＣＫを受信したと認識する。【０１１６】  このように実施の形態７によれば、優先順位の最も高いＮＡＣＫユーザにＮＡＣＫチャネルを用いてＮＡＣＫを通知し、他のＮＡＣＫユーザにＬ１／Ｌ２制御チャネルを用いてＮＡＣＫを通知すると共に、これらのＮＡＣＫを通知されないユーザはＡＣＫが通知されたと認識するように予め定めておき、ＡＣＫを暗示的に通知することにより、ＡＣＫの通信品質を改善させることができ、再送における衝突を回避することができる。【０１１７】  なお、上記各実施の形態では、本発明をハードウェアで構成する場合を例にとって説明したが、本発明はソフトウェアで実現することも可能である。【０１１８】  また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１１９】  また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。【０１２０】  さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１２１】  また、上記各実施の形態における基地局はＮｏｄｅ  Ｂ、移動局はＵＥと表されることがある。【０１２２】  ２００７年２月２６日出願の特願２００７−０４５９７９及び２００７年６月１９日出願の特願２００７−１６１９３３の日本出願に含まれる明細書、図面及び要約書の開示内容は、すべて本願に援用される。
【産業上の利用可能性】
【０１２３】  本発明にかかる無線通信端末装置、無線通信基地局装置及び無線リソース割当方法は、データ再送において、シグナリング量の増加を抑えつつ、無線リソース断片化を低減することができ、例えば、移動通信システム等に適用できる。
【図１】
2008105162.tif 000003
【図２】
2008105162.tif 000004
【図３】
2008105162.tif 000005
【図４】
2008105162.tif 000006
【図５】
2008105162.tif 000007
【図６】
2008105162.tif 000008
【図７】
2008105162.tif 000009
【図８】
2008105162.tif 000010
【図９】
2008105162.tif 000011
【図１０】
2008105162.tif 000012
【図１１】
2008105162.tif 000013
【図１２】
2008105162.tif 000014
【図１３】
2008105162.tif 000015
【図１４】
2008105162.tif 000016
【図１５】
2008105162.tif 000017
【図１６】
2008105162.tif 000018
【図１７】
2008105162.tif 000019
【図１８】
2008105162.tif 000020
【図１９】
2008105162.tif 000021
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
グループ化された複数の通信端末装置に対するＡＣＫ／ＮＡＣＫ信号を受信する受信部と、
受信された前記ＡＣＫ／ＮＡＣＫ信号を復号する復号部と、
復号された前記ＡＣＫ／ＮＡＣＫ信号に基づいて、グループで共有する再送用無線リソースを割り当てる再送制御部と、
割り当てられた前記再送用無線リソースを用いて、再送データを送信する送信部と、
を具備する通信端末装置。
【請求項２】
前記再送用無線リソースは、周波数の高い側又は低い側で連続する無線リソースである請求項１に記載の通信端末装置。
【請求項３】
前記ＡＣＫ／ＮＡＣＫ信号は、グループ内の各通信端末装置が互いに復号可能である請求項１に記載の通信端末装置。
【請求項４】
前記受信部は、グループの更新が一定期間制限され、グループ内の他の通信端末装置に同時に送信された、自装置及び他の通信端末装置を示すグループ情報を受信する請求項１に記載の通信端末装置。
【請求項５】
前記受信部は、初回データ送信において自装置及び他の通信端末装置がグループ化されている場合、初回データ送信と同一の通信端末装置を示すグループ情報を受信する請求項２に記載の通信端末装置。
【請求項６】
前記受信部は、初回送信用無線リソースのリソースサイズが同一の通信端末装置を示すグループ情報を受信する請求項１に記載の通信端末装置。
【請求項７】
前記再送制御部は、初回送信用無線リソースのリソースサイズ及び平均再送確率から決定されたリソースサイズの前記再送用無線リソースを割り当てる請求項１に記載の通信端末装置。
【請求項８】
前記再送制御部は、初回送信用無線リソースのリソースサイズ、平均再送確率及び再送回数から再送のたびに決定されたリソースサイズの前記再送用無線リソースを再送毎に割り当てる請求項１に記載の通信端末装置。
【請求項９】
前記再送制御部は、システム帯域の端に位置する無線リソースを前記再送用無線リソースとして割り当てる請求項１に記載の通信端末装置。
【請求項１０】
前記再送制御部は、グループ内の各通信端末装置に付された優先順位に基づいて、優先順位が高いほど周波数の高い再送用無線リソースを割り当て、優先順位が低いほど周波数の低い再送用無線リソースを割り当てる請求項１に記載の通信端末装置。
【請求項１１】
前記再送制御部は、グループ内の各通信端末装置に付された優先順位に基づいて、優先順位が高い通信端末装置から前記再送用無線リソースを割り当てる請求項１に記載の通信端末装置。
【請求項１２】
前記再送制御部は、グループ内の他の通信端末装置と同時に再送を必要とし、他の通信端末装置より自装置の優先順位が低い場合、再送データの送信を待機させる請求項１１に記載の通信端末装置。
【請求項１３】
前記再送制御部は、グループ内の他の通信端末装置と同時に再送を必要とし、他の通信端末装置より自装置の優先順位が低い場合、前記再送用無線リソース以外の無線リソースを適応的に割り当てる請求項１１に記載の通信端末装置。
【請求項１４】
前記再送制御部は、再送回数が所定回数以上の場合に前記再送用無線リソース以外の無線リソースを適応的に割り当てる請求項１２に記載の通信端末装置。
【請求項１５】
前記優先順位は、再送確率の高い通信端末装置から順に順位付けされた請求項１１に記載の通信端末装置。
【請求項１６】
前記復号部は、グループ内の各通信端末装置に付された優先順位に基づいて、自装置のＡＣＫ／ＮＡＣＫ信号及び自装置より優先順位の高い通信端末装置のＡＣＫ／ＮＡＣＫ信号を復号する請求項１に記載の通信端末装置。
【請求項１７】
再送用無線リソースを共有する複数の通信端末装置のグループと、前記複数の通信端末装置の優先順位とを決定するグループ決定部と、
グループ内の各通信端末装置に対するＡＣＫ／ＮＡＣＫ信号を前記優先順位に応じた品質で送信する送信部と、
を具備する基地局装置。
【請求項１８】
前記ＡＣＫ／ＮＡＣＫ信号は、グループ内の各通信端末装置が互いに復号可能である請求項１７に記載の基地局装置。
【請求項１９】
前記送信部は、前記優先順位の高い通信端末装置ほど、ＡＣＫ／ＮＡＣＫ信号の送信電力を上げて送信する請求項１７に記載の信基地局装置。
【請求項２０】
前記送信部は、前記優先順位とグループ内の通信端末装置の受信品質とを用いて、前記ＡＣＫ／ＮＡＣＫ信号の送信電力オフセット量を通信端末装置毎に決定し、決定した送信電力オフセット量をＡＣＫ／ＮＡＣＫ信号に加える請求項１９に記載の基地局装置。
【請求項２１】
前記送信部は、前記優先順位が高い通信端末装置に対するＡＣＫ／ＮＡＣＫほど、誤り耐性の強いビット割り当てを行い、グループ内の通信端末装置のＡＣＫ／ＮＡＣＫ信号を１シンボルにマッピングする変調部を具備する請求項１７に記載の基地局装置。
【請求項２２】
前記グループ決定部は、前記変調部によってマッピングされるＡＣＫ／ＮＡＣＫ信号のビット毎の通信品質に基づいて、グループ化する複数の通信端末装置を決定する請求項２１に記載の基地局装置。
【請求項２３】
グループ化された複数の通信端末装置に対するＡＣＫ／ＮＡＣＫ信号を受信し、受信した前記ＡＣＫ／ＮＡＣＫ信号を復号し、復号した前記ＡＣＫ／ＮＡＣＫ情報に基づいて、グループで共有する再送用無線リソースを割り当てる無線リソース割当方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
グループ化された複数の通信端末装置に対するＡＣＫ／ＮＡＣＫ信号を受信する受信部と、
受信された前記ＡＣＫ／ＮＡＣＫ信号を復号する復号部と、
復号された前記ＡＣＫ／ＮＡＣＫ信号に基づいて、グループで共有する再送用無線リソースを割り当てる再送制御部と、
割り当てられた前記再送用無線リソースを用いて、再送データを送信する送信部と、
を具備する通信端末装置。
【請求項２】
前記再送用無線リソースは、周波数の高い側又は低い側で連続する無線リソースである請求項１に記載の通信端末装置。
【請求項３】
前記ＡＣＫ／ＮＡＣＫ信号は、グループ内の各通信端末装置が互いに復号可能である請求項１に記載の通信端末装置。
【請求項４】
前記受信部は、グループの更新が一定期間制限され、グループ内の他の通信端末装置に同時に送信された、自装置及び他の通信端末装置を示すグループ情報を受信する請求項１に記載の通信端末装置。
【請求項５】
前記受信部は、初回データ送信において自装置及び他の通信端末装置がグループ化されている場合、初回データ送信と同一の通信端末装置を示すグループ情報を受信する請求項２に記載の通信端末装置。
【請求項６】
前記受信部は、初回送信用無線リソースのリソースサイズが同一の通信端末装置を示すグループ情報を受信する請求項１に記載の通信端末装置。
【請求項７】
前記再送制御部は、初回送信用無線リソースのリソースサイズ及び平均再送確率から決定されたリソースサイズの前記再送用無線リソースを割り当てる請求項１に記載の通信端末装置。
【請求項８】
前記再送制御部は、初回送信用無線リソースのリソースサイズ、平均再送確率及び再送回数から再送のたびに決定されたリソースサイズの前記再送用無線リソースを再送毎に割り当てる請求項１に記載の通信端末装置。
【請求項９】
前記再送制御部は、システム帯域の端に位置する無線リソースを前記再送用無線リソースとして割り当てる請求項１に記載の通信端末装置。
【請求項１０】
前記再送制御部は、グループ内の各通信端末装置に付された優先順位に基づいて、優先順位が高いほど周波数の高い再送用無線リソースを割り当て、優先順位が低いほど周波数の低い再送用無線リソースを割り当てる請求項１に記載の通信端末装置。
【請求項１１】
前記再送制御部は、グループ内の各通信端末装置に付された優先順位に基づいて、優先順位が高い通信端末装置から前記再送用無線リソースを割り当てる請求項１に記載の通信端末装置。
【請求項１２】
前記再送制御部は、グループ内の他の通信端末装置と同時に再送を必要とし、他の通信端末装置より自装置の優先順位が低い場合、再送データの送信を待機させる請求項１１に記載の通信端末装置。
【請求項１３】
前記再送制御部は、グループ内の他の通信端末装置と同時に再送を必要とし、他の通信端末装置より自装置の優先順位が低い場合、前記再送用無線リソース以外の無線リソースを適応的に割り当てる請求項１１に記載の通信端末装置。
【請求項１４】
前記再送制御部は、再送回数が所定回数以上の場合に前記再送用無線リソース以外の無線リソースを適応的に割り当てる請求項１２に記載の通信端末装置。
【請求項１５】
前記優先順位は、再送確率の高い通信端末装置から順に順位付けされた請求項１１に記載の通信端末装置。
【請求項１６】
前記復号部は、グループ内の各通信端末装置に付された優先順位に基づいて、自装置のＡＣＫ／ＮＡＣＫ信号及び自装置より優先順位の高い通信端末装置のＡＣＫ／ＮＡＣＫ信号を復号する請求項１に記載の通信端末装置。
【請求項１７】
再送用無線リソースを共有する複数の通信端末装置のグループと、前記複数の通信端末装置の優先順位とを決定するグループ決定部と、
グループ内の各通信端末装置に対するＡＣＫ／ＮＡＣＫ信号を前記優先順位に応じた品質で送信する送信部と、
を具備する基地局装置。
【請求項１８】
前記ＡＣＫ／ＮＡＣＫ信号は、グループ内の各通信端末装置が互いに復号可能である請求項１７に記載の基地局装置。
【請求項１９】
前記送信部は、前記優先順位の高い通信端末装置ほど、ＡＣＫ／ＮＡＣＫ信号の送信電力を上げて送信する請求項１７に記載の基地局装置。
【請求項２０】
前記送信部は、前記優先順位とグループ内の通信端末装置の受信品質とを用いて、前記ＡＣＫ／ＮＡＣＫ信号の送信電力オフセット量を通信端末装置毎に決定し、決定した送信電力オフセット量をＡＣＫ／ＮＡＣＫ信号に加える請求項１９に記載の基地局装置。
【請求項２１】
前記送信部は、前記優先順位が高い通信端末装置に対するＡＣＫ／ＮＡＣＫほど、誤り耐性の強いビット割り当てを行い、グループ内の通信端末装置のＡＣＫ／ＮＡＣＫ信号を１シンボルにマッピングする変調部を具備する請求項１７に記載の基地局装置。
【請求項２２】
前記グループ決定部は、前記変調部によってマッピングされるＡＣＫ／ＮＡＣＫ信号のビット毎の通信品質に基づいて、グループ化する複数の通信端末装置を決定する請求項２１に記載の基地局装置。
【請求項２３】
グループ化された複数の通信端末装置に対するＡＣＫ／ＮＡＣＫ信号を受信し、受信した前記ＡＣＫ／ＮＡＣＫ信号を復号し、復号した前記ＡＣＫ／ＮＡＣＫ情報に基づいて、グループで共有する再送用無線リソースを割り当てる無線リソース割当方法。
【手続補正２】
【補正対象書類名】明細書
【補正対象項目名】全文
【補正方法】変更
【補正の内容】
【発明の詳細な説明】
【技術分野】
【０００１】
本発明は、Synchronous-HARQを用いる通信端末装置、基地局装置及び無線リソース割当方法に関する。
【背景技術】
【０００２】
現在、３ＧＰＰ ＲＡＮ ＬＴＥ（Long Term Evolution）におけるデータ伝送において、前回までに受信したデータと新規受信データとを合成することにより、データスループットを改善するＨＡＲＱの適用が検討されている。ＨＡＲＱとしては、Synchronous又はAsynchronousの適用が検討されている。
【０００３】
Synchronous-HARQは、Asynchronous-HARQと比較して、シグナリングオーバヘッドが少なく、また、回路構成がシンプル等の特徴を有するため、上りリンクではSynchronous-HARQを用いることで合意された。ここで、Synchronousとは、初回又は前回データ送信タイミングと、再送時のデータ送信タイミングの時間間隔が予め固定で決まっていることを指す。
【０００４】
また、Synchronous-HARQには、データ再送時の変調方式、符号化率及び送信帯域が予め決められたNon-adaptive HARQと、データ再送時の変調方式、符号化率及び送信帯域を変更可能なAdaptive HARQの導入が検討されている（例えば、非特許文献１参照）。
【０００５】
ここで、Synchronous/non-adaptive HARQにおける無線リソース使用状況を図１に示し、また、Synchronous/adaptive HARQにおける無線リソース使用状況を図２に示す。Non-adaptive HARQを用いる場合は、ＡＣＫ／ＮＡＣＫにより再送制御を行い、ＮＡＣＫを受信した際には初回送信で割り当てられたＭＣＳ（Modulation and Coding Scheme）及びリソースブロック（ＲＢ）を用いてデータ再送を行うことにより、再送に伴うシグナリング量の増加を抑えることができる。一方、Adaptive HARQを用いる場合は、ＡＣＫ／ＮＡＣＫに加えて、ＭＣＳ変更やＲＢの変更を行うことにより、無線状態により適した再送を行うことができ、データスループットを向上させることができる。
【非特許文献１】3GPP TSG-RAN WG1 Meeting Ad Hoc LTE, R1-060231,Huawei “Considerations on Synchronous HARQ in Uplink”, Helsinki, Finland, 23-25 January, 2006
【発明の開示】
【発明が解決しようとする課題】
【０００６】
しかしながら、上述したNon-adaptive HARQの再送技術では、データ再送時に無線リソースの空き領域が断片化（Fragmentation）することにより、特に、上りリンクにおいては、複数のユーザでリソースを使用する必要があるため、複数のユーザに対してリソース割り当てを行うシグナリングが増加してしまう。以下、この理由について説明する。
【０００７】
Non-adaptive HARQの場合では、いずれのユーザデータも再送される可能性があるため、誤りの状況によっては、図１に示したように、空きリソースが断片化する可能性がある。特に、上りリンクにおいては、同一ユーザに断片化した複数ＲＢを割り当てると、ＰＡＰＲ（Peak to Average Power Ratio）が劣化してしまうため、通常よりもより大きなバックオフマージンを確保しておく必要がある。このため、同一ユーザを断片化した複数ＲＢに割り当てることができず、断片化した無線リソースを複数のユーザに割り当てることが考えられる。そのため、複数のユーザへの割り当てシグナリング量が増加してしまう。
【０００８】
これに対し、adaptive HARQの再送技術では、誤ったユーザの再送用無線リソースを変更することが可能であるため、空きリソースの断片化は解消されるが、再送用無線リソースの変更を頻繁に通知することから、シグナリング量が増加する。
【０００９】
本発明はかかる点に鑑みてなされたものであり、データ再送において、シグナリング量の増加を抑えつつ、無線リソース断片化を低減する通信端末装置、基地局装置及び無線リソース割当方法を提供することを目的とする。
【課題を解決するための手段】
【００１０】
本発明の通信端末装置は、グループ化された複数の通信端末装置に対するＡＣＫ／ＮＡＣＫ信号を受信する受信部と、受信された前記ＡＣＫ／ＮＡＣＫ信号を復号する復号部と、復号された前記ＡＣＫ／ＮＡＣＫ信号に基づいて、グループで共有する再送用無線リソースを割り当てる再送制御部と、割り当てられた前記再送用無線リソースを用いて、再送データを送信する送信部と、を具備する構成を採る。
【００１１】
本発明の基地局装置は、再送用無線リソースを共有する複数の通信端末装置のグループと、前記複数の通信端末装置の優先順位とを決定するグループ決定部と、グループ内の各通信端末装置に対するＡＣＫ／ＮＡＣＫ信号を前記優先順位に応じた品質で送信する送信部と、を具備する構成を採る。
【００１２】
本発明の無線リソース割当方法は、グループ化された複数の通信端末装置に対するＡＣＫ／ＮＡＣＫ信号を受信し、受信した前記ＡＣＫ／ＮＡＣＫ信号を復号し、復号した前記ＡＣＫ／ＮＡＣＫ情報に基づいて、グループで共有する再送用無線リソースを割り当てるようにした。
【発明の効果】
【００１３】
本発明によれば、データ再送において、シグナリング量の増加を抑えつつ、無線リソース断片化を低減することができる。
【発明を実施するための最良の形態】
【００１４】
以下、本発明の実施の形態について、図面を参照して詳細に説明する。
【００１５】
（実施の形態１）
図３は、本発明の実施の形態１に係る移動局１００の構成を示すブロック図である。この図において、無線受信部１０２は、アンテナ１０１を介して受信した信号に周波数変換などの無線受信処理を施し、無線受信処理を施した信号を復調部１０３に出力する。
【００１６】
復調部１０３は、無線受信部１０２から出力された信号を用いて、チャネル状況を推定する。復調部１０３は、推定したチャネル状況に基づいて、無線受信部１０２から出力された信号に同期検波又は周波数等化等の処理を行い、同期検波又は周波数等化等の処理を行った信号をデータ復号部１０４、グループ情報復号部１０５、ＡＣＫ／ＮＡＣＫ復号部１０６及びScheduling grant復号部１０７に出力する。
【００１７】
データ復号部１０４は、復調部１０３から出力された信号に、送信側における符号化方法に対応した復号処理を施し、ユーザデータを出力する。
【００１８】
グループ情報復号部１０５は、復調部１０３から出力された信号からグループ情報を復号する。なお、グループ情報とは、ＲＢサイズが同じ複数ユーザをグループ化し、グループ内の各ユーザに対するＡＣＫ／ＮＡＣＫを各ユーザが互いに復号可能としたグループ及びグループ内の移動局を示すＡＣＫ／ＮＡＣＫグループ情報、グループ内の各ユーザの優先順位及びＡＣＫ／ＮＡＣＫグループ情報の復号に用いる制御情報のことである。復号されたグループ情報のうち、ＡＣＫ／ＮＡＣＫグループ情報及びこの情報の復号に用いる制御情報は、ＡＣＫ／ＮＡＣＫ復号部１０６に出力され、優先順位は再送制御部１０８に出力される。
【００１９】
ＡＣＫ／ＮＡＣＫ復号部１０６は、グループ情報復号部１０５から出力されたＡＣＫ／ＮＡＣＫグループ情報及びこれらの復号に用いる制御情報を用いて、復調部１０３から出力されたＡＣＫ／ＮＡＣＫ信号を復号し、復号したＡＣＫ／ＮＡＣＫ情報を再送制御部１０８に出力する。復号されたＡＣＫ／ＮＡＣＫ情報には、グループ化された各ユーザのＡＣＫ又はＮＡＣＫが含まれている。
【００２０】
Scheduling grant復号部１０７は、復調部１０３から出力された信号からデータ送信におけるＭＣＳ、初回データ送信用割り当て帯域関連情報（ＲＢサイズ、ＲＢ位置）、及び、再送データ送信用割り当て帯域関連情報（ＲＢサイズ、ＲＢ位置）を復号し、復号したこれらの情報を再送制御部１０８に出力する。
【００２１】
再送制御部１０８は、ＡＣＫ／ＮＡＣＫ復号部１０６から出力された複数ユーザのＡＣＫ／ＮＡＣＫ情報、Scheduling grant復号部１０７から出力されたＭＣＳ及び初回データ送信用割り当て帯域情報、再送データ送信用割り当て帯域情報（ＲＢサイズ、ＲＢ位置）を用いて、データ送信回数、ＭＣＳ、ＨＡＲＱ動作決定のためのRedundancy Version（ＲＶ）、データ送信を行うための割り当て帯域情報（ＲＢサイズ、ＲＢ位置）を決定し、決定したデータ送信回数をデータ制御部１０９に出力し、ＭＣＳ及びＲＶを符号化変調部１１０に出力し、割り当て帯域関連情報を帯域割当部１１１に出力する。
【００２２】
データ制御部１０９は、再送制御部１０８から出力されたデータ送信回数に応じて、ユーザデータを符号化変調部１１０に出力する。すなわち、初回データ送信時には、新たなユーザデータを出力し、データ再送時には初回データと同一のデータを符号化変調部１１０に出力する。
【００２３】
符号化変調部１１０は、再送制御部１０８から出力されたＭＣＳに従って、データ制御部１０９から出力されたユーザデータに符号化及び変調を行う。また、ＲＶに応じて、データのレートマッチ等も行い、レートマッチ等を行った信号を帯域割当部１１１に出力する。
【００２４】
帯域割当部１１１は、符号化変調部１１０から出力された信号に再送制御部１０８から出力された帯域を割り当て、帯域を割り当てた信号を無線送信部１１２に出力する。
【００２５】
無線送信部１１２は、帯域割当部１１１から出力された信号に周波数変換などの無線送信処理を施し、無線送信処理を施した信号をアンテナ１０１から送信する。
【００２６】
図４は、本発明の実施の形態１に係る基地局１５０の構成を示すブロック図である。この図において、無線受信部１５２は、アンテナ１５１を介して受信した信号に周波数変換などの無線受信処理を施し、無線受信処理を施した信号を復調部１５３に出力する。
【００２７】
復調部１５３は、無線受信部１５２から出力された信号を用いて、チャネル状況を推定する。復調部１５３は、推定したチャネル状況に基づいて、無線受信部１５２から出力された信号に同期検波又は周波数等化等の処理を行い、同期検波又は周波数等化等の処理を行った信号をリソース分割部１５４に出力する。
【００２８】
リソース分割部１５４は、データ復号ＨＡＲＱ部１５５から出力される再送回数及びユーザ毎のＡＣＫ／ＮＡＣＫ情報、Scheduling部１５６から出力される初回データ送信用割り当て帯域情報、再送用無線リソース決定部１５８から出力される再送データ送信用割り当て帯域情報を用いて、復調部１５３から出力された信号をユーザ毎の受信データに分割し、分割したユーザ毎の受信データをデータ復号ＨＡＲＱ部１５５に出力する。
【００２９】
データ復号ＨＡＲＱ部１５５は、リソース分割部１５４から出力されたユーザ毎の受信データに復号化処理とＨＡＲＱ処理とを施し、さらにＣＲＣ復号処理を施す。ＣＲＣ復号処理により、ＡＣＫ／ＮＡＣＫ情報をリソース分割部１５４及び符号化変調部１５９に出力し、誤りなしの場合は、ユーザデータを出力する。
【００３０】
Scheduling部１５６は、複数移動局の上り回線品質情報を用いて、上りデータ送信を行うユーザの特定並びに、特定したユーザに指示するＭＣＳ、初回データ送信用割り当て帯域情報を決定し、決定した情報をScheduling情報として符号化変調部１５９に出力する。
【００３１】
グループ決定部１５７は、再送用無線リソースを共有するグループと各ユーザの優先順位を決定し、決定したグループを示すＡＣＫ／ＮＡＣＫグループ情報と優先順位とを再送用無線リソース決定部１５８及び符号化変調部１５９に出力する。なお、決定したグループは一定期間更新を制限し、頻繁なグループ更新を抑制することにより、ＡＣＫ／ＮＡＣＫグループ情報のシグナリング量を低減する。また、初回送信用ＲＢサイズが同一のユーザをグループ化することにより、初回送信用ＲＢサイズを基準に再送用ＲＢサイズを容易に決定することができる。
【００３２】
再送用無線リソース決定部１５８は、グループ決定部１５７から出力されたＡＣＫ／ＮＡＣＫグループ情報及び優先順位に基づいて、グループで共有する再送データ用割り当て帯域を決定し、決定した再送データ用割り当て帯域情報をリソース分割部１５４及び符号化変調部１５９に出力する。
【００３３】
符号化変調部１５９は、データ復号ＨＡＲＱ部１５５から出力されたＡＣＫ／ＮＡＣＫ情報、Scheduling部１５６から出力されたScheduling情報、グループ決定部１５７から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は無線送信部１６０に出力される。
【００３４】
無線送信部１６０は、符号化変調部１５９から出力された信号に周波数変換などの無線送信処理を施し、無線送信処理を施した信号をアンテナ１５１から送信する。
【００３５】
次に、上述した移動局１００及び基地局１５０の通信手順について図５を用いて説明する。図５において、ステップ（以下、「ＳＴ」と省略する）２０１では、基地局１５０のグループ決定部１５７がＡＣＫ／ＮＡＣＫグループとグループ内の各ユーザの優先順位を決定し、ＳＴ２０２では、決定されたこれらの情報を移動局１００に通知する。
【００３６】
ＳＴ２０３では、基地局１５０の再送用無線リソース決定部１５８がグループで共有するデータ再送用割り当て帯域を決定し、ＳＴ２０４では、決定されたデータ再送用割り当て帯域情報を移動局１００に通知する。
【００３７】
ＳＴ２０５では、基地局１５０のScheduling部１５６が上りSchedulingを決定し、ＳＴ２０６では、決定された上りScheduling情報を移動局１００に通知する。
【００３８】
ＳＴ２０７では、基地局１５０から通知された上りScheduling情報に基づいて、移動局１００は基地局１５０にデータを送信する。
【００３９】
ＳＴ２０８では、移動局１００から送信されたデータの復号結果に基づいて、基地局１５０のデータ復号ＨＡＲＱ部１５５がＡＣＫ／ＮＡＣＫ情報を生成し、ＳＴ２０９では、生成されたＡＣＫ／ＮＡＣＫ情報を移動局１００に通知する。ここでは、データ復号ＨＡＲＱ部１５５はＮＡＣＫを生成したものとする。
【００４０】
ＳＴ２１０では、移動局１００のＡＣＫ／ＮＡＣＫ復号部１０６が基地局１５０から通知されたＡＣＫ／ＮＡＣＫ情報を復号する。ここでは、ＡＣＫ／ＮＡＣＫ情報が自移動局についてＮＡＣＫを示すことから、ＳＴ２１１では、移動局１００の再送制御部１０８がＡＣＫ／ＮＡＣＫ情報に基づいて、再送用無線リソース（再送データ送信用割り当て帯域）をグループ内のＮＡＣＫユーザ数で等分し、ＮＡＣＫユーザ数で等分した再送用無線リソースを用いてデータ再送を行う。
【００４１】
なお、移動局がＡＣＫを受信するまで、または最大再送回数に達するまでＳＴ２０８からＳＴ２１１の処理が繰り返し行われる。
【００４２】
次に、データ再送時の再送用無線リソース割り当て方法について図６を用いて説明する。ここでは、ユーザ＃１〜＃４の４ユーザをグループ化し、ユーザ＃１〜＃４に送信されたＡＣＫ／ＮＡＣＫは各ユーザで互いに復号可能とする。また、再送用無線リソース（ＲＢ）として初回送信用ＲＢのうち、周波数の高い方の連続する２ＲＢを予め定義しておく。なお、ＲＢサイズは、初回送信用ＲＢサイズ及び平均再送確率から算出するものとする。さらに、ＡＣＫを「０」、ＮＡＣＫを「１」と定義する。
【００４３】
ＡＣＫ／ＮＡＣＫ情報は、ユーザ＃１〜＃４の順に「０」又は「１」を通知するものとすると、例えば、ＡＣＫ／ＮＡＣＫ情報が「１０１０」である場合、ユーザ＃１とユーザ＃３の２ユーザにデータ誤りが生じたと判定できる。したがって、再送用ＲＢを２ユーザに割り当て、割り当てられたＲＢを用いてユーザ＃１及びユーザ＃３はデータ再送を行う。ここで、予め基地局がユーザ毎に再送用ＲＢ位置の優先順位を移動局に通知しておくことにより、例えば、優先順位の高い順にユーザ＃１〜＃４とすると、周波数の高いＲＢをユーザ＃１に割り当て、周波数の低いＲＢをユーザ＃３に割り当てることができる。
【００４４】
ユーザ＃１及びユーザ＃３の再送の結果、ＡＣＫ／ＮＡＣＫ情報が「００１０」であった場合、ユーザ＃３にデータ誤りが生じたと判定できるので、再送用ＲＢをユーザ＃３に割り当てる。図６では、ユーザ＃３の再送（再送２）の結果、ＡＣＫ／ＮＡＣＫ情報が「００００」であった場合を示しており、これにより、ユーザ＃１〜＃４のデータが正常に送信完了となる。
【００４５】
このように実施の形態１によれば、移動局と基地局との間でSynchronous-HARQを用いたデータ通信を行う場合において、複数のユーザをグループ化し、グループ内の複数ユーザに割り当てた初回送信用リソースのうち周波数の高い方又は低い方のいずれかを予め再送用無線リソースとすると共に、グループ内の複数ユーザで再送用無線リソースを共有することにより、シグナリング量を増加させることなく、無線リソース断片化を低減することができる。
【００４６】
なお、本実施の形態では、再送用ＲＢサイズを初回送信用ＲＢサイズ及び平均再送確率から算出するものとして説明したが、初回送信用ＲＢサイズ、平均再送確率及び再送回数から再送毎に算出するようにしてもよい。
【００４７】
また、本実施の形態では、優先順位の高いユーザに再送用ＲＢのうち周波数の高いＲＢを割り当て、優先順位の低いユーザに周波数の低いＲＢを割り当てるものとして説明したが、逆に、優先順位の高いユーザに周波数の低いＲＢを割り当て、優先順位の低いユーザに周波数の高いＲＢを割り当てるようにしてもよい。
【００４８】
また、本実施の形態では、初回送信用ＲＢサイズが同一のユーザをグループ化するものとして説明したが、初回送信用ＲＢサイズが異なるユーザを同一グループにしてもよい。
【００４９】
また、本実施の形態では、グループ内の複数ユーザに割り当てた初回送信用リソースのうち周波数の高い方又は低い方のいずれかを予め再送用無線リソースとするものとして説明したが、周波数の高い方又は低い方のいずれを再送用無線リソースとするかを別途通知するようにしてもよい。
【００５０】
（実施の形態２）
本発明の実施の形態２に係る移動局及び基地局の構成は、実施の形態１における図３及び図４に示した構成と同様であるので、図３及び図４を援用し、重複する説明は省略する。
【００５１】
本発明の実施の形態２に係るデータ再送時の再送用無線リソース割り当て方法について図７を用いて説明する。ここでは、システム帯域の中にグループＡ，Ｂを設け、ユーザ＃１〜＃４の４ユーザをグループ化（グループＡ）し、ユーザ＃１〜＃４に送信されたＡＣＫ／ＮＡＣＫはグループＡ内の各ユーザで互いに復号可能とする。また、ユーザ＃５〜＃８の４ユーザをグループ化（グループＢ）し、ユーザ＃５〜＃８に送信されたＡＣＫ／ＮＡＣＫはグループＢ内の各ユーザで互いに復号可能とする。
【００５２】
また、システム帯域の両端に再送用無線リソース（ＲＢ）を予め定義しておき、グループＡの再送用無線リソースはシステム帯域のうち、周波数の高い方のリソースを用い、グループＢの再送用無線リソースはシステム帯域のうち、周波数の低い方のリソースを用いるものとする。さらに、ＡＣＫを「０」、ＮＡＣＫを「１」と定義する。
【００５３】
ＡＣＫ／ＮＡＣＫ情報は、グループＡでは、ユーザ＃１〜＃４の順に「０」又は「１」を通知するものとすると、例えば、グループＡのＡＣＫ／ＮＡＣＫ情報が「１０００」である場合、ユーザ＃１にデータ誤りが生じたと判定できる。また、グループＢでは、ユーザ＃５〜＃８の順に「０」又は「１」を通知するものとすると、グループＢのＡＣＫ／ＮＡＣＫ情報が「００１０」である場合、ユーザ＃７にデータ誤りが生じたと判定できる。
【００５４】
したがって、グループＡでは、再送用ＲＢをユーザ＃１に割り当て、グループＢでは、再送用ＲＢをユーザ＃７に割り当てる。
【００５５】
ユーザ＃１及びユーザ＃７の再送の結果、グループＡのＡＣＫ／ＮＡＣＫ情報が「１０００」、グループＢのＡＣＫ／ＮＡＣＫ情報が「００００」であった場合、ユーザ＃１にデータ誤りが生じたと判定できるので、グループＡにおいて、再送用ＲＢをユーザ＃１に割り当てる。
【００５６】
このように実施の形態２によれば、再送用無線リソースにシステム帯域の端を用いることにより、シグナリング量を増加させることなく、無線リソース断片化を低減することができる。
【００５７】
なお、本実施の形態では、システム帯域を５ＭＨｚ程度と想定し、再送用無線リソースをシステム帯域の両端に設けるものとして説明したが、より広いシステム帯域、例えば、１０ＭＨｚの場合、図８Ａに示すように、５ＭＨｚ毎に再送用無線リソースを設けてもよいし、２０ＭＨｚの場合、図８Ｂに示すように、１０ＭＨｚ毎（又は５ＭＨｚ毎）に再送用無線リソースを設けてもよい。
【００５８】
また、本実施の形態では、再送用無線リソースをシステム帯域の両端に設けるものとして説明したが、両端が制御チャネルなどに使用されている場合は、制御チャネルに近接するなるべく端の周波数リソースを再送用無線リソースとして設けてもよい。
【００５９】
（実施の形態３）
本発明の実施の形態３に係る移動局及び基地局の構成は、実施の形態１における図３及び図４に示した構成と同様であるので、図３及び図４を援用し、重複する説明は省略する。
【００６０】
本発明の実施の形態３に係るデータ再送時の再送用無線リソース割り当て方法について図９を用いて説明する。ここでは、ユーザ＃１〜＃４の４ユーザをグループ化し、ユーザ＃１〜＃４に送信されたＡＣＫ／ＮＡＣＫは各ユーザで互いに復号可能とする。
【００６１】
また、再送用無線リソース（ＲＢ）として初回送信用ＲＢのうち、周波数の高い方の１ＲＢを予め定義しておく。なお、ＲＢサイズは、初回送信用ＲＢサイズ及び平均再送確率から算出するものとする。また、ＡＣＫを「０」、ＮＡＣＫを「１」と定義する。さらに、予めユーザ毎に時間優先順位を決めておき、例えば、優先順位の高い順にユーザ＃１〜＃４とする。
【００６２】
ＡＣＫ／ＮＡＣＫ情報は、ユーザ＃１〜＃４の順に「０」又は「１」を通知するものとすると、例えば、グループＡのＡＣＫ／ＮＡＣＫ情報が「１０１０」である場合、ユーザ＃１とユーザ＃３の２ユーザにデータ誤りが生じたと判定できる。ここでは、ユーザ＃１の時間優先順位が高いので、再送用ＲＢをユーザ＃１に割り当て、ユーザ＃３の再送は待機させる。
【００６３】
ユーザ＃１の再送の結果、ＡＣＫ／ＮＡＣＫ情報が「００１０」であった場合、ユーザ＃１のデータ誤りが解消し、依然としてユーザ＃３にデータ誤りが生じていると判定できるので、再送用ＲＢをユーザ＃３に割り当てる。
【００６４】
このように実施の形態３によれば、再送用無線リソースが少なく、再送を必要とするユーザ数を１回の再送でサポートできない場合でも、グループ内のユーザに予め時間優先順位を決めておき、時間優先順位に従って、順次再送することにより、シグナリング量を増加させることなく、無線リソース断片化を低減することができる。
【００６５】
なお、本実施の形態では、再送確率の高いユーザの優先順位を上位に上げることにより、効率的にデータ再送を行うことができる。
【００６６】
（実施の形態４）
本発明の実施の形態４に係る移動局及び基地局の構成は、実施の形態１における図３及び図４に示した構成と同様であるので、図３及び図４を援用し、重複する説明は省略する。
【００６７】
図１０は、本発明の実施の形態４に係る移動局の処理を示すフロー図である。この図において、ＳＴ３０１では、基地局から自移動局に送信されたＡＣＫ／ＮＡＣＫ情報がＡＣＫであるか否かを判定し、ＡＣＫである場合には処理を終了し、ＡＣＫではない、すなわち、ＮＡＣＫである場合には、ＳＴ３０２に移行する。
【００６８】
ＳＴ３０２では、今回の再送がＮ回目以上か否かを判定し、Ｎ回目未満（Ｎｏ）であればＳＴ３０３に移行し、再送を待機し、ＳＴ３０１に戻る。また、Ｎ回目以上（Ｙｅｓ）であればＳＴ３０４に移行する。なお、Ｎは指定再送回数という。
【００６９】
ＳＴ３０４では、グループのＡＣＫ／ＮＡＣＫを判定し、ＳＴ３０５では、自移動局より優先順位の高いユーザのＮＡＣＫがあるか否かを判定する。自移動局より優先順位の高いユーザのＮＡＣＫがある（Ｙｅｓ）場合には、ＳＴ３０６に移行し、自移動局より優先順位の高いユーザのＮＡＣＫがない（Ｎｏ）場合には、ＳＴ３０７に移行する。
【００７０】
ＳＴ３０６では、Ｌ１／Ｌ２制御信号を復号し、自移動局宛のScheduling grantを復号し、ＳＴ３０７では、データ再送を行う。
【００７１】
次に、データ再送時の再送用無線リソース割り当て方法について説明する。ここでは、ユーザ＃１〜＃４の４ユーザをグループ化し、ユーザ＃１〜＃４に送信されたＡＣＫ／ＮＡＣＫはグループ内の各ユーザで互いに復号可能とする。
【００７２】
また、再送用無線リソース（ＲＢ）として初回送信用ＲＢのうち、周波数の高い方の１ＲＢを予め定義しておく。ＲＢサイズは、初回送信用ＲＢサイズ及び平均再送確率から算出するものとする。また、ＡＣＫを「０」、ＮＡＣＫを「１」と定義する。さらに、予めユーザ毎に優先順位を決めておき、例えば、優先順位の高い順にユーザ＃１〜＃４とする。
【００７３】
まず、指定再送回数Ｎ＝１の場合について図１１を用いて説明する。ＡＣＫ／ＮＡＣＫ情報は、ユーザ＃１〜＃４の順に「０」又は「１」を通知するものとすると、例えば、初回送信に対するＡＣＫ／ＮＡＣＫ情報が「１０１０」である場合、ユーザ＃１とユーザ＃３の２ユーザにデータ誤りが生じたと判定できる。ここでは、ユーザ＃１の優先順位が高いので、再送用ＲＢをユーザ＃１に割り当て、優先順位の低いユーザ＃３には空き領域を自由に割り当てる。
【００７４】
ユーザ＃１及びユーザ＃３の再送の結果、ＡＣＫ／ＮＡＣＫ情報が「１０００」であった場合、ユーザ＃３のデータ誤りが解消し、依然としてユーザ＃１にデータ誤りが生じていると判定できるので、再送用ＲＢをユーザ＃１に割り当てる。
【００７５】
次に、指定再送回数Ｎ＝２の場合について図１２を用いて説明する。例えば、初回送信に対するＡＣＫ／ＮＡＣＫ情報が「１０１０」である場合、ユーザ＃１とユーザ＃３の２ユーザにデータ誤りが生じたと判定できる。ここでは、ユーザ＃１の優先順位が高いので、再送用ＲＢをユーザ＃１に割り当て、優先順位の低いユーザ＃３の再送は待機させる。
【００７６】
ユーザ＃１の再送の結果、ＡＣＫ／ＮＡＣＫ情報が「１０１０」であった場合、依然としてユーザ＃１及びユーザ＃３にデータ誤りが生じていると判定できるので、引き続き再送用ＲＢをユーザ＃１に割り当てると共に、ユーザ＃３には空き領域を自由に割り当てる。
【００７７】
このように実施の形態４によれば、再送回数が指定再送回数以上となり、複数ユーザが同時にデータ再送を行う場合、優先順位の低いユーザに空きリソースを自由に割り当てることにより、ユーザデータの遅延時間を低減することができる。
【００７８】
なお、本実施の形態では、優先順位の高いユーザに再送用ＲＢを割り当て、優先順位の低いユーザに空きリソースを自由に割り当てるものとして説明したが、逆に、優先順位の高いユーザに空きリソースを自由に割り当て、優先順位の低いユーザに再送用ＲＢを割り当てるようにしてもよい。
【００７９】
（実施の形態５）
本発明の実施の形態５に係る基地局４００の構成について、図１３を用いて説明する。ただし、図１３が図４と異なる点は、変調多重部４０１及び多重部４０３を追加した点と、符号化変調部１５９を符号化変調部４０２に変更した点である。
【００８０】
変調多重部４０１は、データ復号ＨＡＲＱ部１５５から出力されたＡＣＫ／ＮＡＣＫ情報、グループ決定部１５７から出力されたＡＣＫ／ＮＡＣＫグループ情報及び優先順位、ユーザ毎の受信品質に基づいて、ユーザ毎の送信電力オフセット量を決定する。具体的には、優先順位の高いユーザほどＡＣＫ／ＮＡＣＫ信号の送信電力オフセット量を多くし、ＡＣＫ／ＮＡＣＫ信号の通信品質を向上させる。ここで、グループ化されているユーザ数をＭとすると、優先順位＃Ｎのユーザでは、優先順位＃Ｎ〜優先順位＃Ｍのユーザ受信品質（例えば、ＳＩＮＲ（Signal to Interference and Noise Ration）等）を全て満たすように送信電力オフセット量が決定される。
【００８１】
例えば、Ｍ＝４とし、ユーザ＃１〜＃４の受信品質をＳＩＮＲ＃１〜＃４、ユーザ＃１〜＃４の優先順位を優先順位＃１〜＃４とすると、送信電力オフセット量は以下のようになる。ただし、基準ＳＩＮＲは例えばＳＩＮＲ＃４とし、Ｍｉｎ（ＳＩＮＲ＃１〜＃４）はＳＩＮＲ＃１〜＃４のうち最小値を示すものとする。
【００８２】
優先順位＃１の送信電力オフセット量＝基準ＳＩＮＲ−Ｍｉｎ（ＳＩＮＲ＃１〜＃４）
優先順位＃２の送信電力オフセット量＝基準ＳＩＮＲ−Ｍｉｎ（ＳＩＮＲ＃２〜＃４）
優先順位＃３の送信電力オフセット量＝基準ＳＩＮＲ−Ｍｉｎ（ＳＩＮＲ＃３〜＃４）
優先順位＃４の送信電力オフセット量＝０
【００８３】
このように、優先順位に応じた送信電力オフセット量を決定することにより、優先順位の高いユーザのＡＣＫ／ＮＡＣＫ信号の誤り耐性を向上させることができる。これにより、端末からの再送における衝突の回避を図ることができる。
【００８４】
変調多重部４０１は、ユーザ毎のＡＣＫ／ＮＡＣＫ信号をＣＤＭ変調し、決定した送信電力オフセット量をＣＤＭ変調信号に加え、ＣＤＭ多重する。ＣＤＭ多重信号は多重部４０３に出力される。
【００８５】
符号化変調部４０２は、Scheduling部１５６から出力されたScheduling情報、グループ決定部１５７から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は多重部４０３に出力される。
【００８６】
多重部４０３は、変調多重部４０１から出力されたＣＤＭ多重信号と、符号化変調部４０２から出力された信号とをＯＦＤＭ多重し、ＯＦＤＭ多重信号を無線送信部１６０に出力する。なお、変調多重部４０１、多重部４０３、無線送信部１６０は、送信手段として機能する。
【００８７】
次に、本発明の実施の形態５に係る移動局４５０の構成について、図１４を用いて説明する。図１４が図３と異なる点は、制御部４５１を追加した点と、ＡＣＫ／ＮＡＣＫ復号部１０６をＡＣＫ／ＮＡＣＫ復号部４５２に変更した点である。
【００８８】
制御部４５１は、グループ情報復号部１０５から出力されたＡＣＫ／ＮＡＣＫグループ情報とグループ内の各ユーザの優先順位とを用いて、ＡＣＫ／ＮＡＣＫ復号を行うユーザを選択し、選択したユーザを示すユーザ選択情報をＡＣＫ／ＮＡＣＫ復号部４５２に出力する。
【００８９】
ＡＣＫ／ＮＡＣＫ復号部４５２は、制御部４５１から出力されたユーザ選択情報に基づいて、復調部１０３から出力されたＡＣＫ／ＮＡＣＫ信号を復号し、復号したＡＣＫ／ＮＡＣＫ情報を再送制御部１０８に出力する。
【００９０】
ここで、制御部４５１におけるユーザ選択方法について図１５を用いて説明する。なお、ユーザ＃１〜＃４の４ユーザをグループ化し、ユーザ＃１〜＃４の順に優先順位が高いものとする。図１５に示すように、自移動局がこのグループ内で優先順位が最も高いユーザ＃１である場合、制御部４５１はユーザ＃１を選択し、ユーザ＃１を示すユーザ選択情報をＡＣＫ／ＮＡＣＫ復号部４５２に出力する。これにより、ユーザ＃１はＡＣＫ／ＮＡＣＫ復号部４５２において自移動局のＡＣＫ／ＮＡＣＫ情報のみを復号する。すなわち、ユーザ＃１はグループ内で最も優先順位が高く、他ユーザの優先順位を考慮する必要がないので、他ユーザのＡＣＫ／ＮＡＣＫ情報を復号する必要がない。
【００９１】
また、自移動局がこのグループ内で優先順位が２番目に高いユーザ＃２である場合、制御部４５１はユーザ＃１，＃２を選択し、ユーザ＃１，＃２を示すユーザ選択情報をＡＣＫ／ＮＡＣＫ復号部４５２に出力する。これにより、ユーザ＃２はＡＣＫ／ＮＡＣＫ復号部４５２においてユーザ＃１，＃２のＡＣＫ／ＮＡＣＫ情報を復号する。
【００９２】
また、自移動局がこのグループ内で優先順位が３番目に高いユーザ＃３である場合、制御部４５１はユーザ＃１〜＃３を選択し、ユーザ＃１〜＃３を示すユーザ選択情報をＡＣＫ／ＮＡＣＫ復号部４５２に出力する。これにより、ユーザ＃３はＡＣＫ／ＮＡＣＫ復号部４５２においてユーザ＃１〜＃３のＡＣＫ／ＮＡＣＫ情報を復号する。
【００９３】
さらに、自移動局がこのグループ内で優先順位が最も低いユーザ＃４である場合、制御部４５１はユーザ＃１〜＃４を選択し、ユーザ＃１〜＃４を示すユーザ選択情報をＡＣＫ／ＮＡＣＫ復号部４５２に出力する。これにより、ユーザ＃４はＡＣＫ／ＮＡＣＫ復号部４５２においてユーザ＃１〜＃４のＡＣＫ／ＮＡＣＫ情報を復号する。
【００９４】
このように、自移動局のＡＣＫ／ＮＡＣＫ信号及び自移動局より優先順位の高いユーザのＡＣＫ／ＮＡＣＫ信号を復号し、自移動局より優先順位の低いユーザのＡＣＫ／ＮＡＣＫ信号を復号しないことにより、優先順位の高いユーザほどＡＣＫ／ＮＡＣＫ信号の復号に係る負荷を低減することができる。なお、自移動局より優先順位の低いユーザのＡＣＫ／ＮＡＣＫ信号を復号しなくても、再送における衝突は回避することができる。
【００９５】
このように実施の形態５によれば、基地局において、ユーザの優先順位に応じた送信電力オフセット量をユーザ毎のＡＣＫ／ＮＡＣＫ信号の送信電力に付加することにより、優先順位の高いユーザのＡＣＫ／ＮＡＣＫ信号の誤り耐性を向上させることができ、再送における衝突を回避することができる。
【００９６】
なお、本実施の形態では、ＡＣＫ／ＮＡＣＫ信号をＣＤＭ多重するものとして説明したが、本発明はこれに限らず、ＡＣＫ／ＮＡＣＫ信号をＦＤＭ多重してもよい。
【００９７】
（実施の形態６）
本発明の実施の形態６に係る基地局５００の構成について、図１６を用いて説明する。ただし、図１６が図４と異なる点は、変調部５０２及び多重部５０４を追加した点と、グループ決定部１５７をグループ決定部５０１に変更し、符号化変調部１５９を符号化変調部５０３に変更した点である。
【００９８】
グループ決定部５０１は、ユーザ毎の受信品質に基づいて、再送用無線リソースを共有するグループと各ユーザの優先順位を決定し、決定したグループを示すＡＣＫ／ＮＡＣＫグループ情報と優先順位とを再送用無線リソース決定部１５８、変調部５０２及び符号化変調部５０３に出力する。
【００９９】
変調部５０２は、データ復号ＨＡＲＱ部１５５から出力されたＡＣＫ／ＮＡＣＫ情報、グループ決定部５０１から出力されたＡＣＫ／ＮＡＣＫグループ情報及び優先順位に基づいて、ユーザ毎のＡＣＫ／ＮＡＣＫ信号に対するビット割り当てを決定し、多値変調を行う。ここでは、変調方式を１６ＱＡＭとし、ユーザ＃１〜＃４の４ユーザをグループ化し、優先順位の高い順にユーザ＃１〜＃４とする。
【０１００】
一般に、各信号点に割り当てられたビットのうち、第１ビットから第４ビットの順に誤り耐性が低くなることが知られている。すなわち、第１ビットの誤り耐性が最も強く、第４ビットの誤り耐性が最も弱いことになる。そこで、変調部５０２は、ユーザ＃１〜＃４のＡＣＫ／ＮＡＣＫ信号を優先順位の高い順に第１ビットから第４ビットに割り当てる。図１７は、１６ＱＡＭの信号点を示す図である。この図に示すＩ１，Ｉ２，Ｑ１，Ｑ２の順に信号点判定が行われる。なお、多値変調されたＡＣＫ／ＮＡＣＫ信号は多重部５０４に出力される。
【０１０１】
符号化変調部５０３は、Scheduling部１５６から出力されたScheduling情報、グループ決定部５０１から出力されたＡＣＫ／ＮＡＣＫグループ情報及び優先順位、再送用無線リソース決定部１５８から出力された再送データ用割り当て帯域情報、ユーザデータに対して、符号化及び変調を行う。符号化及び変調された信号は多重部５０４に出力される。
【０１０２】
多重部５０４は、変調部５０２から出力されたＡＣＫ／ＮＡＣＫ信号と、符号化変調部５０３から出力された信号とをＯＦＤＭ多重し、ＯＦＤＭ多重信号を無線送信部１６０に出力する。
【０１０３】
ここで、グループ決定部５０１におけるグループ決定方法について説明する。グループ決定部５０１では、グループ化するユーザを図１７に示したＩ１（Ｑ１）及びＩ２（Ｑ２）の所要ＳＩＮＲ差と、ユーザ毎のＳＩＮＲ差が等しくなるユーザを選択し、グループとユーザの優先順位を決定する。具体的には、例えば、Ｉ１とＩ２との所要ＳＩＮＲ差が３ｄＢであるユーザが同一のグループにグループ化され、グループ化されたユーザのＳＩＮＲが低いユーザほど優先順位を高く設定し、ＳＩＮＲの高いユーザほど優先順位を低く設定する。
【０１０４】
このように実施の形態６によれば、基地局において、各ユーザ宛のＡＣＫ／ＮＡＣＫ信号を多値変調する際、ユーザの優先順位に応じたビット割り当てを行い、グループ内のＡＣＫ／ＮＡＣＫ信号を１シンボルにマッピングすることにより、優先順位の高いユーザのＡＣＫ／ＮＡＣＫ信号の誤り耐性を向上させることができ、再送における衝突を回避することができる。
【０１０５】
なお、本実施の形態では、４ユーザをグループ化し、１６ＱＡＭ変調を行う場合について説明したが、３ユーザをグループ化する場合、ユーザ＃３のＡＣＫ／ＮＡＣＫ信号（ビット）を第３ビット及び第４ビットに重複して割り当て、受信側でこれらのビットを合成するようにしてもよい。
【０１０６】
また、本実施の形態では、４ユーザをグループ化し、１６ＱＡＭ変調を行う場合について説明したが、６ユーザをグループ化する場合は６４ＱＡＭ変調を行い、８ユーザをグループ化する場合は２５６ＱＡＭ変調を行ってもよい。
【０１０７】
（実施の形態７）
本発明の実施の形態７に係る基地局６００の構成について、図１８を用いて説明する。図１８が図１６と異なる点は、判定部６０２を追加した点と、グループ決定部５０１をグループ決定部６０１に変更し、変調部５０２を変調部６０３に変更した点である。
【０１０８】
グループ決定部６０１は、再送用無線リソースを共有するグループと各ユーザの優先順位を決定し、決定したグループを示すＡＣＫ／ＮＡＣＫグループ情報と優先順位とを再送用無線リソース決定部１５８に出力し、ＡＣＫ／ＮＡＣＫグループ情報を判定部６０２に出力する。
【０１０９】
判定部６０２は、グループ決定部６０１から出力されたＡＣＫ／ＮＡＣＫグループ情報と、データ復号ＨＡＲＱ部１５５から出力されたＡＣＫ／ＮＡＣＫ情報とに基づいて、グループ内のＮＡＣＫユーザ数を判定する。ＮＡＣＫユーザ数が１の場合、該当ユーザにＮＡＣＫを通知するのにＮＡＣＫチャネルを用いると判定し、ＮＡＣＫユーザ数が２以上の場合、該当ユーザのうち優先順位の高い１ユーザにＮＡＣＫを通知するのにＮＡＣＫチャネルを用い、他のユーザにＮＡＣＫを通知するのにＬ１／Ｌ２制御チャネル（例えば、Schedulingチャネル）を用いると判定する。これらの判定結果は変調部６０３及びScheduling部１５６に出力される。
【０１１０】
変調部６０３は、判定部６０２から出力された判定結果に基づいて、ＮＡＣＫチャネル及びＬ１／Ｌ２制御チャネルを形成し、形成したＮＡＣＫチャネル及びＬ１／Ｌ２制御チャネルを多重部５０３に出力する。なお、判定結果がＡＣＫを示す場合には、何も通知しない。
【０１１１】
本発明の実施の形態７に係る移動局６５０の構成について、図１９を用いて説明する。図１９が図３と異なる点は、グループ情報復号部１０５を削除し、ＡＣＫ／ＮＡＣＫ復号部１０６をＮＡＣＫ復号部６５１に変更し、Scheduling grant復号部１０７をScheduling grant復号部６５２に変更し、再送制御部１０８を再送制御部６５３に変更した点である。
【０１１２】
ＮＡＣＫ復号部６５１は、復調部１０３からＮＡＣＫチャネルが出力された場合には、ＮＡＣＫチャネルを復号し、Non-Adaptive-HARQを行うことを再送制御部６５３に通知する。
【０１１３】
Scheduling grant復号部６５２は、復調部１０３から出力されたＬ１／Ｌ２制御チャネルを復号する。復号したＬ１／Ｌ２制御チャネルが自移動局宛である場合、Scheduling grant復号部６５２は、ＮＡＣＫと判定し、Adaptive-HARQを行うことを再送制御部６５３に通知する。
【０１１４】
再送制御部６５３は、ＮＡＣＫ復号部６５１から通知されたNon-Adaptive-HARQを行うこと、またはScheduling grant復号部６５２から通知されたAdaptive-HARQを行うことに基づいて、ＭＣＳ、ＲＶ、割り当て帯域情報（ＲＢサイズ、ＲＢ位置）を決定する。また、再送制御部６５３は、ＮＡＣＫ復号部６５１からNon-Adaptive-HARQを行うことが通知されず、かつ、Scheduling grant復号部６５２からAdaptive-HARQを行うことが通知されない場合、ＡＣＫを受信したと認識する。
【０１１５】
このように実施の形態７によれば、優先順位の最も高いＮＡＣＫユーザにＮＡＣＫチャネルを用いてＮＡＣＫを通知し、他のＮＡＣＫユーザにＬ１／Ｌ２制御チャネルを用いてＮＡＣＫを通知すると共に、これらのＮＡＣＫを通知されないユーザはＡＣＫが通知されたと認識するように予め定めておき、ＡＣＫを暗示的に通知することにより、ＡＣＫの通信品質を改善させることができ、再送における衝突を回避することができる。
【０１１６】
なお、上記各実施の形態では、本発明をハードウェアで構成する場合を例にとって説明したが、本発明はソフトウェアで実現することも可能である。
【０１１７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１１８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１１９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２０】
また、上記各実施の形態における基地局はNode B、移動局はUEと表されることがある。
【０１２１】
２００７年２月２６日出願の特願２００７−０４５９７９及び２００７年６月１９日出願の特願２００７−１６１９３３の日本出願に含まれる明細書、図面及び要約書の開示内容は、すべて本願に援用される。
【産業上の利用可能性】
【０１２２】
本発明にかかる通信端末装置、基地局装置及び無線リソース割当方法は、データ再送において、シグナリング量の増加を抑えつつ、無線リソース断片化を低減することができ、例えば、移動通信システム等に適用できる。
【図面の簡単な説明】
【０１２３】
【図１】Synchronous/non-adaptive HARQにおける無線リソース使用状況を示す図
【図２】synchronous/adaptive HARQにおける無線リソース使用状況を示す図
【図３】本発明の実施の形態１に係る移動局の構成を示すブロック図
【図４】本発明の実施の形態１に係る基地局の構成を示すブロック図
【図５】図３に示した移動局及び図４に示した基地局の通信手順を示すシーケンス図
【図６】本発明の実施の形態１に係るデータ再送時の再送用無線リソース割り当て方法を示す図
【図７】本発明の実施の形態２に係るデータ再送時の再送用無線リソース割り当て方法を示す図
【図８】本発明の実施の形態２に係るデータ再送時の他の再送用無線リソース割り当て方法を示す図
【図９】本発明の実施の形態３に係るデータ再送時の再送用無線リソース割り当て方法を示す図
【図１０】本発明の実施の形態４に係る移動局の処理を示すフロー図
【図１１】指定再送回数Ｎ＝１の場合におけるデータ再送時の他の再送用無線リソース割り当て方法を示す図
【図１２】指定再送回数Ｎ＝２の場合におけるデータ再送時の他の再送用無線リソース割り当て方法を示す図
【図１３】本発明の実施の形態５に係る基地局の構成を示すブロック図
【図１４】本発明の実施の形態５に係る移動局の構成を示すブロック図
【図１５】図１４に示した制御部におけるユーザ選択方法の説明に供する図
【図１６】本発明の実施の形態６に係る基地局の構成を示すブロック図
【図１７】１６ＱＡＭの信号点を示す図
【図１８】本発明の実施の形態７に係る基地局の構成を示すブロック図
【図１９】本発明の実施の形態７に係る移動局の構成を示すブロック図
【手続補正３】
【補正対象書類名】図面
【補正対象項目名】全図
【補正方法】変更
【補正の内容】
【図１】
2008105162.tif 000022
【図２】
2008105162.tif 000023
【図３】
2008105162.tif 000024
【図４】
2008105162.tif 000025
【図５】
2008105162.tif 000026
【図６】
2008105162.tif 000027
【図７】
2008105162.tif 000028
【図８】
2008105162.tif 000029
【図９】
2008105162.tif 000030
【図１０】
2008105162.tif 000031
【図１１】
2008105162.tif 000032
【図１２】
2008105162.tif 000033
【図１３】
2008105162.tif 000034
【図１４】
2008105162.tif 000035
【図１５】
2008105162.tif 000036
【図１６】
2008105162.tif 000037
【図１７】
2008105162.tif 000038
【図１８】
2008105162.tif 000039
【図１９】
2008105162.tif 000040
【国際調査報告】
2008105162.tif 000041
2008105162.tif 000042
2008105162.tif 000043
2008105162.tif 000044